(57)【要約】  情報配信装置（３）は、情報配信部（３９）が移動端末に対して広告情報を配信した際に当該移動端末が位置しているエリアを示す配信時エリア情報を、情報配信部（３９）が通知情報を配信した移動端末毎に記録する配信情報管理テーブル（４３）と、情報配信部（３９）が広告情報を配信した際に、配信エリアを構成する複数のエリアのいずれかのエリア内に位置していた移動端末のユーザのうち、当該移動端末に配信された広告情報が示す地点に訪れた移動端末のユーザの割合を示すエリア来訪確率を、配信時エリア情報に基づいて、配信エリアを構成する複数のエリア毎に算出する配信エリア評価部（４５）と、エリア来訪確率が閾値以上のエリアのみが配信エリアに含まれるように、配信エリア管理テーブル（３６）に記録された配信エリア情報を更新する配信エリア更新部（４７）とを備える。
2009122498.tif 000002
【特許請求の範囲】
【請求項１】
移動端末の現在位置を示す端末位置情報を取得する端末位置取得部と、
所定の地点に関する通知情報が予め記録された通知情報記録部と、
複数のエリアから構成される配信エリアを示す配信エリア情報を記録する配信エリア記録部と、
前記配信エリア内に位置する移動端末に対して、前記通知情報を配信する情報配信部と、
前記情報配信部が移動端末に対して通知情報を配信した際に当該移動端末が位置しているエリアを示す配信時エリア情報を、前記情報配信部が通知情報を配信した移動端末毎に記録する配信情報記録部と、
前記情報配信部が通知情報を配信した際に、前記配信エリアを構成する複数のエリアのいずれかのエリア内に位置していた移動端末のユーザのうち、当該移動端末に配信された通知情報が示す地点に訪れた移動端末のユーザの割合を示すエリア来訪評価値を、前記配信時エリア情報に基づいて、前記配信エリアを構成する複数のエリア毎に算出する配信エリア評価部と、
前記エリア来訪評価値が閾値以上のエリアのみが配信エリアに含まれるように、前記配信エリア記録部に記録された配信エリア情報を更新する配信エリア更新部とを備える、情報配信装置。
【請求項２】
前記配信エリア更新部は、前記エリア来訪評価値が閾値以上のエリアの近辺のエリアのうち、前記配信エリア評価部によりエリア来訪評価値が算出されていないエリアが配信エリアに含まれるように、前記配信エリア記録部に記録された配信エリア情報を更新する、請求項１に記載の情報配信装置。
【請求項３】
前記情報配信装置は、前記移動端末が移動している方位を示す端末方位情報を取得する端末方位取得部をさらに備え、
前記配信エリア記録部は、方位を示す配信方位情報を、前記配信エリアを構成する複数のエリア毎にさらに記録し、
前記情報配信部は、前記配信エリアを構成する複数のエリアのいずれかのエリア内に位置しており、かつ前記配信方位情報が示す方位へ移動している移動端末に対して、前記通知情報を配信し、
前記配信情報記録部は、前記端末方位情報により得られる、前記情報配信部が移動端末に対して通知情報を配信した際に当該移動端末が移動している方位を示す配信時端末方位情報を、前記情報配信部が通知情報を配信した移動端末毎にさらに記録し、
前記配信エリア評価部は、前記配信エリアを構成する複数のエリアのそれぞれのエリアにおける予め決められた複数の方位のそれぞれについて、前記情報配信部が通知情報を配信した際に、前記複数のエリアのいずれか１つのエリアにおいて前記複数の方位のいずれか１つの方位へ移動していた移動端末のユーザのうち、当該移動端末に配信された通知情報が示す地点に訪れた移動端末のユーザの割合を示す方位来訪評価値を、前記配信時端末方位情報に基づいて算出し、
前記配信エリア更新部は、前記エリア来訪評価値が閾値以上のエリアにおいて、前記方位来訪評価値が閾値以上の方位へ移動している移動端末に対してのみ通知情報が配信されるように、前記配信エリア記録部に記録された配信方位情報を更新する、請求項１に記載の情報配信装置。
【請求項４】
前記配信エリア更新部は、前記エリア来訪評価値が閾値以上のエリアの近辺のエリアであって、かつ当該エリア来訪評価値が閾値以上のエリアにおける前記方位来訪評価値が閾値以上の方位と逆の方位にあるエリアのうち、前記配信エリア評価部によりエリア来訪評価値が算出されていないエリアが配信エリアに含まれるように、前記配信エリア記録部に記録された配信エリア情報を更新する、請求項３に記載の情報配信装置。
【請求項５】
所定の地点に関する通知情報が予め記録された通知情報記録部と、複数のエリアから構成される配信エリアを示す配信エリア情報を記録する配信エリア記録部とを備えるコンピュータが処理を実行する情報配信方法であって、
前記コンピュータが備える端末位置取得部が、移動端末の現在位置を示す端末位置情報を取得する端末位置取得工程と、
前記コンピュータが備える情報配信部が、前記配信エリア内に位置する移動端末に対して、前記通知情報を配信する情報配信工程と、
前記コンピュータが備える配信エリア評価部が、前記情報配信工程により通知情報が配信された際に、前記配信エリアを構成する複数のエリアのいずれかのエリア内に位置していた移動端末のユーザのうち、当該移動端末に配信された通知情報が示す地点に訪れた移動端末のユーザの割合を示すエリア来訪評価値を、前記情報配信工程により移動端末に対して通知情報が配信された際に当該移動端末が位置しているエリアを示す配信時エリア情報を、前記情報配信工程により通知情報が配信された移動端末毎に記録する配信情報記録部に記録された当該配信時エリア情報に基づいて、前記配信エリアを構成する複数のエリア毎に算出する配信エリア評価工程と、
前記コンピュータが備える配信エリア更新部が、前記エリア来訪評価値が閾値以上のエリアのみが配信エリアに含まれるように、前記配信エリア記録部に記録された配信エリア情報を更新する配信エリア更新工程とを含む、情報配信方法。
【請求項６】
所定の地点に関する通知情報が予め記録された通知情報記録部と、複数のエリアから構成される配信エリアを示す配信エリア情報を記録する配信エリア記録部とを備えるコンピュータに処理を実行させるプログラムであって、
移動端末の現在位置を示す端末位置情報を取得する端末位置取得処理と、
前記配信エリア内に位置する移動端末に対して、前記通知情報を配信する情報配信処理と、
前記情報配信処理により通知情報が配信された際に、前記配信エリアを構成する複数のエリアのいずれかのエリア内に位置していた移動端末のユーザのうち、当該移動端末に配信された通知情報が示す地点に訪れた移動端末のユーザの割合を示すエリア来訪評価値を、前記情報配信処理により移動端末に対して通知情報が配信された際に当該移動端末が位置しているエリアを示す配信時エリア情報を、前記情報配信処理により通知情報が配信された移動端末毎に記録する配信情報記録部に記録された当該配信時エリア情報に基づいて、前記配信エリアを構成する複数のエリア毎に算出する配信エリア評価処理と、
前記エリア来訪評価値が閾値以上のエリアのみが配信エリアに含まれるように、前記配信エリア記録部に記録された配信エリア情報を更新する配信エリア更新処理とを前記コンピュータに実行させる、プログラム。
【発明の詳細な説明】
【技術分野】
【０００１】
本発明は、配信エリア内に位置する移動端末に対して、所定の地点に関する通知情報を配信する情報配信装置、情報配信方法、およびプログラムに関する。
【背景技術】
【０００２】
近年、各種の施設が取り扱う商品の売上げを伸ばすために、当該施設の商品の広告を示す広告情報を、情報配信装置に予め記録することによって、当該情報配信装置が、ネットワークを介して、不特定多数のユーザの携帯端末（移動端末）に対して、広告情報（通知情報）を一斉に配信する技術が知られている（例えば、特開２００１−３５０９４１号公報参照）。このような情報配信装置は、例えば、ユーザの携帯端末の現在位置に応じて、広告情報を配信するか否かを決定している。具体的には、情報配信装置は、広告の対象となる商品を取り扱う施設から一定範囲（例えば、施設から半径１０ｋｍ）内に位置する携帯端末に対して、広告情報を配信している。すなわち、施設から一定範囲のエリアが配信エリアとなる。【０００３】
ここで、配信エリアが広範囲であった場合には、施設に全く用事のない、例えば、当該施設からはるか遠方のユーザの携帯端末に対しても、広告情報が配信されてしまう。すなわち、配信エリアが広範囲であった場合には、ユーザにとって不要な広告情報を、多数のユーザの携帯端末に対して配信してしまうことになる。この結果、施設を経営する経営者等が負担すべき広告費（通信費）が増大することになる。また、携帯端末のユーザにおいては、不要な広告情報が配信されてくるため、たいへん煩わしい。【０００４】
このような問題を解決するため、配信エリアを限定することによって、施設の近辺（例えば、施設から半径５００ｍ内）に位置しているユーザの携帯端末に対してのみ、広告情報を配信する情報配信装置が提案されている（例えば、特開２００５−３４５３２５号公報参照）。しかしながら、配信エリアを限定した場合には、上記とは逆に、広告情報の配信を所望するユーザの携帯端末に対して、広告情報が配信されないことがある。この結果、広告費は抑制することが可能となるが、商品の売上げ（施設の収益）がある一定値以上伸びないことになる。【０００５】
そこで、携帯端末のユーザが、配信された広告情報を閲覧したか否かに応じて、配信エリアを動的に変更する情報配信装置が提案されている（例えば、特開２００６−６０４５４号公報参照）。具体的には、この情報配信装置は、広告情報を閲覧したユーザの数が多ければ配信エリアを拡大し、広告情報を閲覧したユーザの数が少なければ配信エリアを縮小する。これにより、配信エリアが固定的に定められている態様と比較して、広告費を抑制しつつ、施設の収益をある一定値以上に確保することが可能となる。
【発明の開示】
【発明が解決しようとする課題】
【０００６】
しかしながら、上記従来の情報配信装置においては、施設から一定範囲内のエリアを配信エリアとしているため、上記のように配信エリアを動的に変更した場合であっても、以下のような問題を生じる。【０００７】
すなわち、一例として、東西方向の幹線道路沿いに施設が位置している場合を考える。この場合、東西方向の幹線道路沿いに位置している携帯端末のユーザは、当該幹線道路が利用できるため、当該携帯端末に広告情報が配信されれば、上記の施設に訪れる確率は高いと考えられる。一方、幹線道路に対して南北方向に位置しているユーザは、当該幹線道路が利用できないため、当該携帯端末に広告情報が配信されても、上記の施設に訪れる確率は低いと考えられる。【０００８】
このため、上記従来の情報配信装置のように、施設から一定範囲内に位置している携帯端末に対して、一律に広告情報を配信した場合、東西方向の幹線道路沿いに位置しているユーザに対しては有益な広告情報となるが、幹線道路に対して南北方向に位置しているユーザに対しては無駄な広告情報となる。すなわち、施設から一定範囲内のエリアを配信エリアとしているため、たとえ配信エリアを動的に変更した場合であっても、ユーザにとって不要な広告情報を、多数のユーザの携帯端末に対して配信してしまうことがあった。【０００９】
本発明は、上記の問題点に鑑みてなされたものであり、その目的は、移動端末のユーザにとって不要な通知情報の配信数を減らすことができる情報配信装置、情報配信方法、およびプログラムを提供することにある。
【課題を解決するための手段】
【００１０】
上記目的を達成するために本発明における情報配信装置は、移動端末の現在位置を示す端末位置情報を取得する端末位置取得部と、所定の地点に関する通知情報が予め記録された通知情報記録部と、複数のエリアから構成される配信エリアを示す配信エリア情報を記録する配信エリア記録部と、前記配信エリア内に位置する移動端末に対して、前記通知情報を配信する情報配信部と、前記情報配信部が移動端末に対して通知情報を配信した際に当該移動端末が位置しているエリアを示す配信時エリア情報を、前記情報配信部が通知情報を配信した移動端末毎に記録する配信情報記録部と、前記情報配信部が通知情報を配信した際に、前記配信エリアを構成する複数のエリアのいずれかのエリア内に位置していた移動端末のユーザのうち、当該移動端末に配信された通知情報が示す地点に訪れた移動端末のユーザの割合を示すエリア来訪評価値を、前記配信時エリア情報に基づいて、前記配信エリアを構成する複数のエリア毎に算出する配信エリア評価部と、前記エリア来訪評価値が閾値以上のエリアのみが配信エリアに含まれるように、前記配信エリア記録部に記録された配信エリア情報を更新する配信エリア更新部とを備える。【００１１】
本発明の情報配信装置によれば、配信エリア評価部は、情報配信部が通知情報を配信した際に、配信エリアを構成する複数のエリアのいずれかのエリア内に位置していた移動端末のユーザのうち、当該移動端末に配信された通知情報が示す地点に訪れた移動端末のユーザの割合を示すエリア来訪評価値を、配信時エリア情報に基づいて、配信エリアを構成する複数のエリア毎に算出する。ここで、配信時エリア情報は、情報配信部が移動端末に対して通知情報を配信した際に当該移動端末が位置しているエリアを示す。配信エリア更新部は、エリア来訪評価値が閾値以上のエリアのみが配信エリアに含まれるように、配信エリア記録部に記録された配信エリア情報を更新する。すなわち、エリア来訪評価値が閾値未満のエリアは配信エリアから除かれることになる。このため、情報配信部は、エリア来訪評価値が閾値以上のエリア内に位置する移動端末に対してのみ、通知情報を配信することが可能となる。この結果、本発明に係る情報配信装置は、移動端末のユーザにとって不要な通知情報の配信数を減らすことができる。【００１２】
上記目的を達成するために本発明における情報配信方法は、所定の地点に関する通知情報が予め記録された通知情報記録部と、複数のエリアから構成される配信エリアを示す配信エリア情報を記録する配信エリア記録部とを備えるコンピュータが処理を実行する情報配信方法であって、前記コンピュータが備える端末位置取得部が、移動端末の現在位置を示す端末位置情報を取得する端末位置取得工程と、前記コンピュータが備える情報配信部が、前記配信エリア内に位置する移動端末に対して、前記通知情報を配信する情報配信工程と、前記コンピュータが備える配信エリア評価部が、前記情報配信工程により通知情報が配信された際に、前記配信エリアを構成する複数のエリアのいずれかのエリア内に位置していた移動端末のユーザのうち、当該移動端末に配信された通知情報が示す地点に訪れた移動端末のユーザの割合を示すエリア来訪評価値を、前記情報配信工程により移動端末に対して通知情報が配信された際に当該移動端末が位置しているエリアを示す配信時エリア情報を、前記情報配信工程により通知情報が配信された移動端末毎に記録する配信情報記録部に記録された当該配信時エリア情報に基づいて、前記配信エリアを構成する複数のエリア毎に算出する配信エリア評価工程と、前記コンピュータが備える配信エリア更新部が、前記エリア来訪評価値が閾値以上のエリアのみが配信エリアに含まれるように、前記配信エリア記録部に記録された配信エリア情報を更新する配信エリア更新工程とを含む。【００１３】
上記目的を達成するために本発明におけるプログラムは、所定の地点に関する通知情報が予め記録された通知情報記録部と、複数のエリアから構成される配信エリアを示す配信エリア情報を記録する配信エリア記録部とを備えるコンピュータに処理を実行させるプログラムであって、移動端末の現在位置を示す端末位置情報を取得する端末位置取得処理と、前記配信エリア内に位置する移動端末に対して、前記通知情報を配信する情報配信処理と、前記情報配信処理により通知情報が配信された際に、前記配信エリアを構成する複数のエリアのいずれかのエリア内に位置していた移動端末のユーザのうち、当該移動端末に配信された通知情報が示す地点に訪れた移動端末のユーザの割合を示すエリア来訪評価値を、前記情報配信処理により移動端末に対して通知情報が配信された際に当該移動端末が位置しているエリアを示す配信時エリア情報を、前記情報配信処理により通知情報が配信された移動端末毎に記録する配信情報記録部に記録された当該配信時エリア情報に基づいて、前記配信エリアを構成する複数のエリア毎に算出する配信エリア評価処理と、前記エリア来訪評価値が閾値以上のエリアのみが配信エリアに含まれるように、前記配信エリア記録部に記録された配信エリア情報を更新する配信エリア更新処理とを前記コンピュータに実行させる。【００１４】
なお、本発明における情報配信方法およびプログラムは、上記の情報配信装置と同様の効果を得る。
【発明の効果】
【００１５】
以上のように、本発明の情報配信装置、情報配信方法、およびプログラムは、移動端末のユーザにとって不要な通知情報の配信数を減らすことができるという効果を奏する。
【図面の簡単な説明】
【００１６】
【図１】図１は、本発明の第１の実施形態に係る配信システムの概略構成を示すブロック図である。
【図２】図２は、上記配信システムにおける情報配信装置の概略構成を示すブロック図である。
【図３】図３は、地図上のある領域を分割することによって、１６個のエリアを形成した場合を説明するための説明図である。
【図４】図４は、上記情報配信装置におけるエリア管理テーブルに記録されたデータの一例を示す図である。
【図５】図５は、上記情報配信装置における端末位置管理テーブルに記録されたデータの一例を示す図である。
【図６】図６は、上記情報配信装置における広告情報管理テーブルに記録されたデータの一例を示す図である。
【図７】図７は、上記情報配信装置における配信エリア管理テーブルに記録されたデータの一例を示す図である。
【図８】図８は、上記情報配信装置におけるユーザ情報管理テーブルに記録されたデータの一例を示す図である。
【図９】図９は、上記配信システムにおける移動端末の表示部に表示される広告情報の一例を示す概念図である。
【図１０】図１０は、上記移動端末の表示部に表示される広告情報の他の例を示す概念図である。
【図１１】図１１は、上記情報配信装置における施設情報管理テーブルに記録されたデータの一例を示す図である。
【図１２】図１２は、上記情報配信装置における滞在判定時間管理テーブルに記録されたデータの一例を示す図である。
【図１３】図１３は、上記情報配信装置における配信情報管理テーブルに記録されたデータの一例を示す図である。
【図１４】図１４は、上記情報配信装置における来訪動向管理テーブルに記録されたデータの一例を示す図である。
【図１５】図１５は、上記情報配信装置が広告情報を移動端末へ配信する配信システムの動作例を示すフローチャートである。
【図１６】図１６は、上記情報配信装置により配信された広告情報が示す施設に、移動端末のユーザが訪れたか否かを判定する情報配信装置の動作例を示すフローチャートである。
【図１７】図１７は、広告情報の施設に、移動端末のユーザが訪れていないと判定した場合における情報配信装置の動作例を示すフローチャートである。
【図１８】図１８は、配信エリア情報を更新する情報配信装置の動作例を示すフローチャートである。
【図１９】図１９は、配信エリアと、エリア来訪確率が閾値以上のエリアと隣接するエリアのうち、配信エリア評価部によりエリア来訪確率が算出されていないエリアとの関係を説明するための説明図である。
【図２０】図２０は、本発明の第２の実施形態に係る配信システムの概略構成を示すブロック図である。
【図２１】図２１は、上記配信システムにおける情報配信装置の概略構成を示すブロック図である。
【図２２】図２２は、上記情報配信装置における端末位置管理テーブルに記録されたデータの一例を示す図である。
【図２３】図２３は、上記情報配信装置における配信エリア管理テーブルに記録されたデータの一例を示す図である。
【図２４】図２４は、上記情報配信装置における配信情報管理テーブルに記録されたデータの一例を示す図である。
【図２５】図２５は、上記情報配信装置における来訪動向管理テーブルに記録されたデータの一例を示す図である。
【図２６】図２６は、上記情報配信装置が広告情報を移動端末へ配信する配信システムの動作例を示すフローチャートである。
【図２７】図２７は、上記情報配信装置により配信された広告情報が示す施設に、移動端末のユーザが訪れたか否かを判定する配信システムの動作例を示すフローチャートである。
【図２８】図２８は、配信エリア情報および配信方位情報を更新する情報配信装置の動作例を示すフローチャートである。
【図２９】図２９は、配信エリアと、エリア来訪確率が閾値以上のエリアの近辺のエリアであって、かつ当該エリア来訪確率が閾値以上のエリアにおける方位来訪確率が閾値以上の方位と逆の方位にあるエリアのうち、配信エリア評価部によりエリア来訪確率が算出されていないエリアとの関係を説明するための説明図である。
【発明を実施するための最良の形態】
【００１７】
本発明の実施形態において、前記配信エリア更新部は、前記エリア来訪評価値が閾値以上のエリアの近辺のエリアのうち、前記配信エリア評価部によりエリア来訪評価値が算出されていないエリアが配信エリアに含まれるように、前記配信エリア記録部に記録された配信エリア情報を更新する態様とするのが好ましい。【００１８】
ここで、エリア来訪評価値が閾値以上のエリアの近辺のエリアも、エリア来訪評価値が閾値以上である可能性が高い。このため、この態様によれば、配信エリア更新部は、エリア来訪評価値が閾値以上のエリアの近辺のエリアのうち、配信エリア評価部によりエリア来訪評価値が算出されていないエリアが配信エリアに含まれるように、配信エリア情報を更新する。これにより、情報配信部は、エリア来訪評価値が閾値以上のエリアの近辺のエリアのうち、配信エリア評価部によりエリア来訪評価値が算出されていないエリア内に位置する移動端末に対しても、通知情報を配信することが可能となる。【００１９】
本発明の実施形態において、前記情報配信装置は、前記移動端末が移動している方位を示す端末方位情報を取得する端末方位取得部をさらに備え、前記配信エリア記録部は、方位を示す配信方位情報を、前記配信エリアを構成する複数のエリア毎にさらに記録し、前記情報配信部は、前記配信エリアを構成する複数のエリアのいずれかのエリア内に位置しており、かつ前記配信方位情報が示す方位へ移動している移動端末に対して、前記通知情報を配信し、前記配信情報記録部は、前記端末方位情報により得られる、前記情報配信部が移動端末に対して通知情報を配信した際に当該移動端末が移動している方位を示す配信時端末方位情報を、前記情報配信部が通知情報を配信した移動端末毎にさらに記録し、前記配信エリア評価部は、前記配信エリアを構成する複数のエリアのそれぞれのエリアにおける予め決められた複数の方位のそれぞれについて、前記情報配信部が通知情報を配信した際に、前記複数のエリアのいずれか１つのエリアにおいて前記複数の方位のいずれか１つの方位へ移動していた移動端末のユーザのうち、当該移動端末に配信された通知情報が示す地点に訪れた移動端末のユーザの割合を示す方位来訪評価値を、前記配信時端末方位情報に基づいて算出し、前記配信エリア更新部は、前記エリア来訪評価値が閾値以上のエリアにおいて、前記方位来訪評価値が閾値以上の方位へ移動している移動端末に対してのみ通知情報が配信されるように、前記配信エリア記録部に記録された配信方位情報を更新する態様とするのが好ましい。【００２０】
この態様によれば、エリア来訪評価値が閾値以上のエリアであっても、方位来訪評価値が閾値未満の方位へ移動している移動端末に対しては、通知情報は配信されないことになる。すなわち、情報配信部は、エリア来訪評価値が閾値以上のエリアにおいて、方位来訪評価値が閾値以上の方位へ移動している移動端末に対してのみ通知情報を配信することが可能となる。この結果、上記の情報配信装置は、エリア来訪評価値が閾値以上のエリア内に位置する移動端末に対して一律に通知情報を配信する態様と比較して、移動端末のユーザにとって不要な通知情報の配信数をより減らすことができる。なお、エリア来訪評価値の閾値と方位来訪評価値の閾値とは、同じ値であってもよいし、異なる値であってもよい。【００２１】
本発明の実施形態において、前記配信エリア更新部は、前記エリア来訪評価値が閾値以上のエリアの近辺のエリアであって、かつ当該エリア来訪評価値が閾値以上のエリアにおける前記方位来訪評価値が閾値以上の方位と逆の方位にあるエリアのうち、前記配信エリア評価部によりエリア来訪評価値が算出されていないエリアが配信エリアに含まれるように、前記配信エリア記録部に記録された配信エリア情報を更新する態様とするのが好ましい。【００２２】
ここで、エリア来訪評価値が閾値以上のエリアの近辺のエリアであって、かつ当該エリア来訪評価値が閾値以上のエリアにおける方位来訪評価値が閾値以上の方位と逆の方位にあるエリアも、エリア来訪評価値が閾値以上である可能性が高い。このため、この態様によれば、配信エリア更新部は、エリア来訪評価値が閾値以上のエリアの近辺のエリアであって、かつ当該エリア来訪評価値が閾値以上のエリアにおける方位来訪評価値が閾値以上の方位と逆の方位にあるエリアのうち、配信エリア評価部によりエリア来訪評価値が算出されていないエリアが配信エリアに含まれるように、配信エリア情報を更新する。これにより、情報配信部は、エリア来訪評価値が閾値以上のエリアの近辺のエリアであって、かつ当該エリア来訪評価値が閾値以上のエリアにおける方位来訪評価値が閾値以上の方位と逆の方位にあるエリア内に位置する移動端末に対しても、通知情報を配信することが可能となる。【００２３】
以下、本発明のより具体的な実施形態について図面を参照しながら詳細に説明する。【００２４】
[実施の形態１]
図１は、本実施形態に係る配信システム１の概略構成を示すブロック図である。すなわち、本実施形態に係る配信システム１は、移動端末２ａ，２ｂ、および情報配信装置３を備えている。移動端末２ａ，２ｂ、および情報配信装置３は、ネットワークＮを介して互いに接続されている。ここで、移動端末２ａ，２ｂは、携帯電話、ＰＤＡ（Personal Digital Assistant）、ＰＨＳ（Personal Handy-phone System）、ＨＨＴ（Hand Held Terminal）、カーナビゲーションシステム等であるが、本実施形態においては、携帯電話であるものとする。また、情報配信装置３は、配信エリア内に位置する移動端末に対して、施設が取り扱う商品の広告を示す広告情報（通知情報）を配信するための装置である。ここで、施設には、店舗、駐車場、給油所、観光施設、病院、映画館、図書館、宿泊所、ゴルフ場、スキー場、遊園地、美術館、博物館等の様々な施設を含み得る。なお、ネットワークＮは、例えば、インターネット、イーサネット（登録商標）、無線ＬＡＮ、携帯電話データ通信網、任意のコンピュータネットワーク等である。【００２５】
図１では、説明の簡略化のために、移動端末２ａ，２ｂを２台、情報配信装置３を１台図示したが、配信システム１を構成する移動端末２ａ，２ｂ、および情報配信装置３の数は任意である。また、配信システム１上に、他の端末装置、Ｗｅｂサーバ、プロキシサーバ、ＤＮＳ（Domain Name System）サーバ、ＤＨＣＰ（Dynamic Host Configuration Protocol）サーバ、無線基地局装置（Ｎｏｄｅ−Ｂ）、無線ネットワーク制御装置（ＲＮＣ；Radio Network Controller）等が存在していてもよい。【００２６】
なお、以下では、互いに同じ機能を有している部材を説明する際、特に区別する必要のある場合にのみ、例えば、移動端末２ａのように、それぞれを区別するための英小文字を付して説明し、特に区別する必要がない場合、あるいは、総称する場合には、例えば、移動端末２のように、英小文字を付さずに説明する。【００２７】
（移動端末の構成）
移動端末２ａは、端末位置計測部２１、端末位置送信部２２、広告情報受信部２３、および表示部２４を備えている。なお、移動端末２ｂの構成も、移動端末２ａの構成と同様である。【００２８】
ここで、上記の端末位置計測部２１、端末位置送信部２２、広告情報受信部２３、および表示部２４の各機能は、コンピュータが備えるＣＰＵ等の演算装置が所定のプログラムを実行することによって実現される。したがって、上記の各機能をコンピュータで実現するためのプログラムまたはそれを記録した記録媒体も本発明の一実施態様である。【００２９】
端末位置計測部２１は、移動端末２ａの現在位置を計測する。具体的には、端末位置計測部２１は、ＧＰＳ（Global Positioning System：全地球測位システム）機能を備えており、複数の測地衛星（ＧＰＳ衛星）から送信される電波を受信し、受信した電波の相対的な時間差に基づいて、移動端末２ａの現在位置を計測する。端末位置計測部２１は、計測結果に基づいて、移動端末２ａの現在位置を示す端末位置情報を生成する。端末位置計測部２１は、生成した端末位置情報を、端末位置送信部２２へ出力する。なお、端末位置情報には、移動端末２ａの現在緯度を示す緯度情報、および移動端末２ａの現在経度を示す経度情報が含まれる。【００３０】
なお、上記では、端末位置計測部２１がＧＰＳ機能を備えている例について説明したが、これに限定されない。すなわち、端末位置計測部２１は、移動端末２ａが通信可能な近隣の無線基地局装置や無線ＬＡＮアクセスポイント等から端末位置情報を取得してもよい。また、端末位置計測部２１は、道路標識や番地標識等から端末位置情報を取得してもよい。つまり、端末位置計測部２１が移動端末２ａの現在位置を計測できれば、移動端末２ａの現在位置を計測する方法として、様々な任意の方法を採り得る。【００３１】
端末位置送信部２２は、端末位置計測部２１から出力された端末位置情報を、ネットワークＮを介して情報配信装置３へ送信する。本実施形態においては、端末位置送信部２２は、端末位置計測部２１から端末位置情報が出力される度に、端末位置計測部２１から出力された端末位置情報を、ネットワークＮを介してリアルタイムに情報配信装置３へ送信する。なお、端末位置送信部２２は、移動端末２ａが一定の距離を移動する度に、あるいは、一定の時間間隔で、端末位置情報を情報配信装置３へ送信してもよい。【００３２】
広告情報受信部２３は、情報配信装置３から配信された広告情報を、ネットワークＮを介して受信する。すなわち、配信エリア内に移動端末２ａが位置している場合に、情報配信装置３は、広告情報を移動端末２ａへ配信し、広告情報受信部２３は、配信された広告情報を受信する。なお、情報配信装置３による広告情報の配信処理については、後述する。広告情報受信部２３は、受信した広告情報を表示部２４へ出力する。【００３３】
表示部２４は、例えば、液晶ディスプレイ、ＥＬディスプレイ、プラズマディスプレイ、ＣＲＴディスプレイ等である。表示部２４は、広告情報受信部２３から出力された広告情報を表示する。なお、表示部２４が表示する広告情報の一例については、後述する。【００３４】
（移動端末へ広告情報を配信するための情報配信装置の構成）
図２は、本実施形態に係る情報配信装置３の概略構成を示すブロック図である。ここで、情報配信装置３は、施設が取り扱う商品の広告を示す広告情報を移動端末２へ配信する機能を備えている。このため、情報配信装置３は、エリア管理テーブル３１、端末位置取得部３２、端末位置管理テーブル３３、端末位置更新部３４、広告情報管理テーブル３５、配信エリア管理テーブル３６、広告情報抽出部３７、ユーザ情報管理テーブル３８、および情報配信部３９を備えている。なお、上記の各テーブル３１，３３，３５，３６，３８は、情報配信装置３の管理データベースＤ内に格納されている。【００３５】
ここで、上記の端末位置取得部３２、端末位置更新部３４、広告情報抽出部３７、および情報配信部３９の各機能は、コンピュータが備えるＣＰＵ等の演算装置が所定のプログラムを実行することによって実現される。したがって、上記の各機能をコンピュータで実現するためのプログラムまたはそれを記録した記録媒体も本発明の一実施態様である。また、エリア管理テーブル３１、端末位置管理テーブル３３、広告情報管理テーブル３５、配信エリア管理テーブル３６、およびユーザ情報管理テーブル３８は、コンピュータの内蔵記憶装置またはこのコンピュータからアクセス可能な記憶装置によって具現化される。【００３６】
本実施形態においては、一例として、図３に示すように、地図上のある領域Ｅを分割することによって、縦４×横４＝１６個のエリア（区画）Ｅ1〜Ｅ16を形成した場合について説明する。ここで、各エリアには、後述するように、当該エリアを一意に識別するためのエリアＩＤがそれぞれ付与されている。なお、本実施形態においては、エリアＥ1〜Ｅ16には、エリアＩＤ「Ｍ０００１」〜「Ｍ００１６」がそれぞれ付与されている。【００３７】
エリア管理テーブル３１は、各エリアの範囲を示す範囲情報を予め記録する。図４は、エリア管理テーブル３１に記録されたデータの一例を示す図である。図４に示すように、エリア管理テーブル３１には、エリアＩＤと、エリア範囲とが記録されている。ここで、エリアＩＤは、エリアを一意に識別するための識別符号である。本実施形態においては、エリアＩＤには、「Ｍ０００１」〜「Ｍ００１６」が記録されている。エリア範囲は、エリアを特定するための範囲を示しており、例えば、図３に示すエリアＥ1を上から見た場合の、エリアＥ1の右上の位置Ｐ1とエリアＥ1の左下の位置Ｐ2とによって特定される。つまり、エリア範囲には、位置Ｐ1の緯度を示す緯度情報と、位置Ｐ1の経度を示す経度情報と、位置Ｐ2の緯度を示す緯度情報と、位置Ｐ2の経度を示す経度情報とが記録されている。【００３８】
端末位置取得部３２は、移動端末２から送信された端末位置情報を、ネットワークＮを介して取得する。端末位置取得部３２は、取得した端末位置情報を端末位置更新部３４へ出力する。【００３９】
端末位置管理テーブル３３は、移動端末２の現在位置を示す端末位置情報を記録する。図５は、端末位置管理テーブル３３に記録されたデータの一例を示す図である。図５に示すように、端末位置管理テーブル３３には、移動端末ＩＤと、緯度情報と、経度情報と、エリアＩＤと、最終更新時刻とが記録されている。ここで、移動端末ＩＤは、移動端末２を一意に識別するための識別符号である。例えば、移動端末２がＩＰ電話である場合には、移動端末ＩＤは、ＩＰ（Internet Protocol）アドレス、あるいはＭＡＣ（Media Access Control）アドレスとなる。緯度情報は、移動端末２の現在位置における緯度を示す情報である。経度情報は、移動端末２の現在位置における経度を示す情報である。エリアＩＤは、エリアを一意に識別するための識別符号であって、ここでは移動端末２が位置しているエリアを示す識別符号となる。最終更新時刻は、端末位置更新部３４が緯度情報、経度情報、およびエリアＩＤを最後に更新した時刻である。【００４０】
端末位置更新部３４は、端末位置管理テーブル３３に記録された端末位置情報を、端末位置取得部３２から出力された端末位置情報に更新する。また、端末位置更新部３４は、エリア管理テーブル３１を参照することにより、端末位置取得部３２から出力された端末位置情報に基づいて、移動端末２が現在位置しているエリアを検出する。端末位置更新部３４は、端末位置管理テーブル３３に記録されたエリアＩＤを、検出したエリアを示すエリアＩＤに更新する。さらに、端末位置更新部３４は、端末位置情報およびエリアＩＤを更新した時刻を、端末位置管理テーブル３３の最終更新時刻に書き込む。【００４１】
広告情報管理テーブル（通知情報記録部）３５は、施設が取り扱う商品の広告を示す広告情報を予め記録する。図６は、広告情報管理テーブル３５に記録されたデータの一例を示す図である。図６に示すように、広告情報管理テーブル３５には、広告ＩＤと、施設ＩＤと、広告文とが記録されている。ここで、広告ＩＤは、広告情報を一意に識別するための識別符号である。施設ＩＤは、施設を一意に識別するための識別符号である。広告文は、広告の内容を示す。なお、広告情報には、上記の広告ＩＤ、施設ＩＤ、および広告文が含まれる。【００４２】
配信エリア管理テーブル（配信エリア記録部）３６は、広告情報を配信すべき配信エリアを示す配信エリア情報を記録する。図７は、配信エリア管理テーブル３６に記録されたデータの一例を示す図である。図７に示すように、配信エリア管理テーブル３６には、広告ＩＤと、配信エリアとが記録されている。ここで、配信エリアは、複数のエリアによって構成される。このため、配信エリアには、配信対象となるエリアのエリアＩＤが記録されている。なお、配信エリア情報には、上記の広告ＩＤおよび配信エリアが含まれる。【００４３】
ここで、配信エリア管理テーブル３６には、後述する配信エリア更新部４７によって配信エリア情報が更新される前は、初期設定となる配信エリアを示す配信エリア情報が記録される。例えば、広告の対象となる商品を取り扱う施設が位置しているエリアと、当該エリアを囲む周囲８個のエリアとが、初期設定となる配信エリアとして構成される。【００４４】
広告情報抽出部３７は、配信エリア内に移動端末２が位置している場合に、広告情報管理テーブル３５から広告情報を抽出する。具体的には、広告情報抽出部３７は、まず、配信エリア管理テーブル３６に記録された配信エリア情報を抽出する。また、広告情報抽出部３７は、端末位置管理テーブル３３に記録されたエリアＩＤを抽出する。広告情報抽出部３７は、抽出したエリアＩＤが示すエリアが、配信エリア情報が示す配信エリアに含まれているか否かを判定する。広告情報抽出部３７は、抽出したエリアＩＤが示すエリアが、配信エリア情報が示す配信エリアに含まれていると判定すれば、当該配信エリア情報が示す広告ＩＤに基づいて、広告情報管理テーブル３５から広告情報を抽出する。広告情報抽出部３７は、抽出した広告情報を情報配信部３９へ出力する。【００４５】
ユーザ情報管理テーブル３８は、移動端末２のユーザ情報を記録する。図８は、ユーザ情報管理テーブル３８に記録されたデータの一例を示す図である。図８に示すように、ユーザ情報管理テーブル３８には、移動端末ＩＤと、ユーザ名と、メールアドレスとが記録されている。ここで、ユーザ名は、ユーザの名称である。メールアドレスは、移動端末２のメールアドレスである。なお、ユーザ情報管理テーブル３８に記録されている移動端末ＩＤ、ユーザ名、およびメールアドレスは、情報配信装置３の管理者によって予め設定される。【００４６】
情報配信部３９は、配信エリア内に位置する移動端末に対して、広告情報抽出部３７から出力された広告情報を配信する。【００４７】
具体的には、情報配信部３９は、まず、広告情報抽出部３７から出力された広告情報が示す広告ＩＤと、当該広告情報を配信しようとする移動端末２の移動端末ＩＤとが、後述する配信情報管理テーブル４３（図１３参照）の同一のレコード上に記録されているか否かを判定する。情報配信部３９は、上記の広告ＩＤと移動端末ＩＤとが、配信情報管理テーブル４３の同一のレコード上に記録されていると判定すれば、移動端末２に対して、既に広告情報が配信されていると判定する。この場合、情報配信部３９は、広告情報を移動端末２へ配信しない。【００４８】
一方、情報配信部３９は、上記の広告ＩＤと移動端末ＩＤとが、配信情報管理テーブル４３の同一のレコード上に記録されていないと判定すれば、移動端末２に対して、未だ広告情報が配信されていないと判定する。この場合、情報配信部３９は、移動端末ＩＤに基づいて、ユーザ情報管理テーブル３８に記録されているメールアドレスを抽出する。情報配信部３９は、抽出したメールアドレスに基づいて、広告情報を移動端末２へ配信する。そして、情報配信部３９は、上記の広告ＩＤと移動端末ＩＤとを配信情報管理テーブル４３に書き込む。また、情報配信部３９は、広告情報を移動端末２へ配信した際における当該移動端末２の位置を示す端末位置情報を、配信時端末位置情報として配信情報管理テーブル４３に書き込む。また、情報配信部３９は、広告情報を移動端末２へ配信した際における当該移動端末が位置しているエリアを示すエリアＩＤを、配信時エリアＩＤとして配信情報管理テーブル４３に書き込む。さらに、情報配信部３９は、広告情報を移動端末２へ配信した時刻を配信情報管理テーブル４３に書き込む。【００４９】
一例として、情報配信部３９が、移動端末２ａに対して、施設名称“ＡＡＡ”（施設ＩＤ“Ｃ０００１”）のコンビニエンスストアの広告情報を配信したものとする。図９は、移動端末２ａの表示部２４に表示される広告情報の一例を示す概念図である。図９に示すように、表示部２４には、Ｆｒｏｍ“ｉｎｆｏ＠ｅｘａｍｐｌｅ．ｃｏ．ｊｐ”、Ｔｏ“ａ００１＠ｅｘａｍｐｌｅ．ｃｏ．ｊｐ”、および、Ｓｕｂｊｅｃｔ“コンビニエンスストア「ＡＡＡ」より”が表示されている。なお、Ｆｒｏｍに表示されているメールアドレスは、配信元となる情報配信装置３のメールアドレスである。Ｔｏに表示されているメールアドレスは、配信先となる移動端末２ａのメールアドレスである。また、表示部２４には、広告情報“コンビニエンスストア「ＡＡＡ」では、ただいま、おにぎり１０％ＯＦＦセール中。是非、お立ち寄り下さい。”が表示されている。【００５０】
他の例として、情報配信部３９が、移動端末２ａに対して、施設名称“ＣＣＣ”（施設ＩＤ“Ｇ０００１”）のガソリンスタンドの広告情報を配信したものとする。図１０は、移動端末２ａの表示部２４に表示される広告情報の一例を示す概念図である。図１０に示すように、表示部２４には、Ｆｒｏｍ“ｉｎｆｏ＠ｅｘａｍｐｌｅ．ｃｏ．ｊｐ”、Ｔｏ“ａ００１＠ｅｘａｍｐｌｅ．ｃｏ．ｊｐ”、および、Ｓｕｂｊｅｃｔ“ガソリンスタンド「ＣＣＣ」より”が表示されている。また、表示部２４には、広告情報“ガソリンスタンド「ＣＣＣ」では、本日、レギュラーガソリン２円引き。是非、お立ち寄り下さい。”が表示されている。【００５１】
（配信エリア情報を更新するための情報配信装置の構成）
情報配信装置３は、配信エリアを構成する複数のエリア毎にエリア来訪確率を算出し、算出したエリア来訪確率に基づいて、配信エリア情報を更新する機能をさらに備えている。このため、情報配信装置３は、施設情報管理テーブル４０、施設情報抽出部４１、滞在判定時間管理テーブル４２、配信情報管理テーブル４３、来訪判定部４４、配信エリア評価部４５、来訪動向管理テーブル４６、および配信エリア更新部４７をさらに備えている。なお、上記の各テーブル４０，４２，４３，４６は、情報配信装置３の管理データベースＤ内に格納されている。【００５２】
ここで、上記の施設情報抽出部４１、来訪判定部４４、配信エリア評価部４５、および配信エリア更新部４７の各機能は、コンピュータが備えるＣＰＵ等の演算装置が所定のプログラムを実行することによって実現される。したがって、上記の各機能をコンピュータで実現するためのプログラムまたはそれを記録した記録媒体も本発明の一実施態様である。また、施設情報管理テーブル４０、滞在判定時間管理テーブル４２、配信情報管理テーブル４３、および来訪動向管理テーブル４６は、コンピュータの内蔵記憶装置またはこのコンピュータからアクセス可能な記憶装置によって具現化される。【００５３】
施設情報管理テーブル４０は、施設を識別する施設情報、および、当該施設の位置範囲を示す施設位置情報を記録する。図１１は、施設情報管理テーブル４０に記録されたデータの一例を示す図である。図１１に示すように、施設情報管理テーブル４０には、施設ＩＤと、施設種別ＩＤと、施設名称と、緯度情報と、経度情報と、施設の位置範囲と、施設アドレスとが記録されている。ここで、施設ＩＤは、施設を一意に識別するための識別符号である。施設種別ＩＤは、施設の種別を一意に識別するための識別符号である。施設名称は、施設の名称である。緯度情報は、施設の位置における緯度を示す情報である。経度情報は、施設の位置における経度を示す情報である。施設の位置範囲は、緯度情報および経度情報で表される施設の中心位置からの半径を示す。本実施形態においては、施設の位置範囲は、メートル（ｍ）単位にて表される。ここで、施設の位置範囲は、例えば、この施設の建物が全て含まれるような半径が設定されている。施設アドレスは、施設の所在地を示す。なお、施設情報には、上記の施設ＩＤ、施設種別ＩＤ、および施設名称が含まれる。また、施設位置情報には、上記の緯度情報、経度情報、および施設の位置範囲が含まれる。【００５４】
施設情報抽出部４１は、移動端末２の現在位置が、施設の位置範囲内を示している場合、施設情報管理テーブル４０から当該施設を示す施設情報を抽出する。具体的には、施設情報抽出部４１は、まず、端末位置管理テーブル３３に記録されている端末位置情報を抽出する。施設情報抽出部４１は、抽出した端末位置情報が示す移動端末２の現在位置が、施設位置情報が示す施設の位置範囲内を示しているか否かを判定する。施設情報抽出部４１は、移動端末２の現在位置が、施設の位置範囲内を示していると判定すれば、施設情報管理テーブル４０から当該施設を示す施設情報を抽出する。施設情報抽出部４１は、抽出した施設情報を、端末位置情報とともに来訪判定部４４へ出力する。【００５５】
滞在判定時間管理テーブル４２は、施設情報抽出部４１が抽出した施設情報が示す施設に、移動端末２のユーザが滞在しているか否かを判断するための基準となる滞在判定時間を記録する。図１２は、滞在判定時間管理テーブル４２に記録されたデータの一例を示す図である。図１２に示すように、滞在判定時間管理テーブル４２には、施設種別ＩＤと、施設種別名と、滞在判定時間とが記録されている。ここで、施設種別名は、施設種別の名称である。本実施形態においては、施設種別名には、コンビニエンスストア、ガソリンスタンド、駐車場が記録されている。滞在判定時間は、施設の種別毎にそれぞれ記録されており、移動端末２のユーザが施設に滞在しているか否かを判断するための基準となる時間である。本実施形態においては、滞在判定時間は、秒単位にて表される。【００５６】
なお、上記では、滞在判定時間管理テーブル４２には、施設の種別毎にそれぞれ対応する滞在判定時間が記録されている例について説明したが、これに限定されない。例えば、滞在判定時間管理テーブル４２には、施設毎にそれぞれ対応する滞在判定時間が記録されていてもよい。【００５７】
配信情報管理テーブル（配信情報記録部）４３は、配信時端末位置情報、配信時エリア情報、および来訪情報を記録する。なお、配信時端末位置情報は、情報配信部３９が移動端末２に対して広告情報を配信した際における当該移動端末２の位置を示す。配信時エリア情報は、情報配信部３９が移動端末２に対して広告情報を配信した際における当該移動端末２が位置しているエリアを示す。来訪情報は、移動端末２のユーザが施設に訪れたか否かを示す。図１３は、配信情報管理テーブル４３に記録されたデータの一例を示す図である。図１３に示ように、配信情報管理テーブル４３には、広告ＩＤと、移動端末ＩＤと、配信時緯度情報と、配信時経度情報と、配信時エリアＩＤと、配信時刻と、来訪の有無とが記録されている。【００５８】
ここで、配信時緯度情報は、広告情報を移動端末２へ配信した際の当該移動端末２の位置における緯度を示す情報である。配信時経度情報は、広告情報を移動端末２へ配信した際の当該移動端末２の位置における経度を示す情報である。配信時エリアＩＤは、広告情報を移動端末２へ配信した際における当該移動端末２が位置しているエリアを示す識別符号である。配信時刻は、広告情報を移動端末２へ配信した時刻である。来訪の有無は、移動端末２のユーザが施設に訪れたか否かを示す。本実施形態においては、移動端末２のユーザが施設に訪れた場合、来訪の有無には、“ｔｒｕｅ”が記録される。一方、移動端末２のユーザが施設に訪れていない場合、来訪の有無には、“ｆａｌｓｅ”が記録される。なお、配信時端末位置情報には、上記の配信時緯度情報および配信時経度情報が含まれる。また、配信時エリア情報には、上記の配信時エリアＩＤが含まれる。さらに、来訪情報には、上記の来訪の有無が含まれる。【００５９】
来訪判定部４４は、端末位置情報が示す移動端末２の現在位置が、施設位置情報が示す施設の位置範囲内を滞在判定時間以上示している場合、施設情報抽出部４１が抽出した施設情報が示す施設に、移動端末２のユーザが訪れたと判定する。【００６０】
具体的には、来訪判定部４４は、施設情報抽出部４１から出力された施設情報が示す施設ＩＤに基づいて、施設情報管理テーブル４０に記録されている施設位置情報を抽出する。また、来訪判定部４４は、施設情報抽出部４１から出力された施設情報が示す施設種別ＩＤに基づいて、滞在判定時間管理テーブル４２に記録されている滞在判定時間を抽出する。来訪判定部４４は、端末位置情報が示す移動端末２の現在位置が、施設位置情報が示す施設の位置範囲内を示した時点を起点としてタイマにてカウント（計測）することにより、移動端末２の現在位置が、施設の位置範囲内を滞在判定時間以上示しているか否かを判定する。なお、タイマがカウントする結果は、情報配信装置３の図示しないメモリに記録される。【００６１】
来訪判定部４４は、移動端末２の現在位置が、施設の位置範囲内を滞在判定時間以上示していると判定すれば、施設情報抽出部４１が抽出した施設情報が示す施設に、移動端末２のユーザが訪れた（滞在した）と判定する。この場合、来訪判定部４４は、移動端末２のユーザが施設に訪れたことを表す“ｔｒｕｅ”を、配信情報管理テーブル４３に書き込む。すなわち、来訪判定部４２は、移動端末２のユーザが、施設に滞在せずに、例えば、施設を単に通り過ぎる場合、配信情報管理テーブル４３に“ｔｒｕｅ”を書き込まない。【００６２】
また、来訪判定部４４は、所定時間毎に配信情報管理テーブル４３のレコードを抽出し、抽出したレコードにおける来訪の有無が“ｔｒｕｅ”でない場合、抽出したレコードにおける配信時刻と現在時刻との差を比較し、この差が設定時間以上であれば、広告情報の施設に、移動端末２のユーザが訪れていないと判定する。つまり、来訪判定部４４は、広告情報を移動端末２へ配信してからある一定の時間が経過した場合、抽出したレコードにおける来訪の有無が“ｔｒｕｅ”でなければ、広告情報の施設に、移動端末２のユーザが訪れていないと判定する。この場合、来訪判定部４４は、移動端末２のユーザが施設に訪れていないことを表す“ｆａｌｓｅ”を、配信情報管理テーブル４３に書き込む。【００６３】
なお、配信情報管理テーブル４３の来訪の有無に、“ｔｒｕｅ”および“ｆａｌｓｅ”が来訪判定部４４により書き込まれる前は、配信情報管理テーブル４３の来訪の有無には、デフォルトとして、“ｕｎｋｎｏｗｎ”が記録されている。【００６４】
配信エリア評価部４５は、情報配信部３９が広告情報を配信した際に、配信エリアを構成する複数のエリアのいずれかのエリア内に位置していた移動端末２のユーザのうち、当該移動端末２に配信された広告情報が示す施設に訪れた移動端末２のユーザの割合を示すエリア来訪確率（エリア来訪評価値）を、配信エリアを構成する複数のエリア毎に算出する。具体的には、配信エリア評価部４５は、まず、同一の広告ＩＤに対応付けられた配信時エリア情報および来訪情報を、配信情報管理テーブル４３から抽出する。そして、配信エリア評価部４５は、配信時エリア情報が示すエリアＩＤ毎に、当該エリアＩＤのエリア内に位置する移動端末２に対して、広告情報を配信した総数（広告配信数）を算出する。すなわち、配信エリア評価部４５は、来訪情報が示す来訪の有無に関わらず、配信エリアを構成する複数のエリア毎に、当該エリア内に位置する移動端末２に対して、広告情報を配信した総数（広告配信数）を算出する。また、配信エリア評価部４５は、来訪情報が示す来訪の有無に基づいて、算出した広告配信数のうち、移動端末２のユーザが、広告情報が示す施設に実際に訪れた数（来訪数）を算出する。さらに、配信エリア評価部４５は、算出した来訪数を、算出した広告配信数で割ることにより、エリア来訪確率を算出する。配信エリア評価部４５は、算出した広告配信数、来訪数、およびエリア来訪確率を、広告ＩＤおよびエリアＩＤと対応付けて配信動向管理テーブル４６へ書き込む。【００６５】
このように、配信エリア評価部４５は、同一の広告ＩＤ毎に、配信時エリア情報および来訪情報を、配信情報管理テーブル４３から抽出し、抽出した配信時エリア情報および来訪情報に基づいて算出した広告配信数、来訪数、およびエリア来訪確率を、配信動向管理テーブル４６へ順次書き込んでいく。ここで、上記の広告配信数、来訪数、およびエリア来訪確率は、来訪動向情報となる。【００６６】
来訪動向管理テーブル４６は、配信エリア評価部４５によって書き込まれた来訪動向情報を記録する。図１４は、来訪動向管理テーブル４６に記録されたデータの一例を示す図である。図１４に示すように、来訪動向管理テーブル４６には、広告ＩＤと、エリアＩＤと、広告配信数と、来訪数と、エリア来訪確率とが記録されている。例えば、図１４に示す来訪動向管理テーブル４６では、エリアＩＤ「Ｍ０００２」のエリア内に位置する移動端末２に対して、広告ＩＤ「Ａ０００１」の広告情報を配信した総数（広告配信数）は「１２０」であって、かつ、広告配信数「１２０」のうち、移動端末２のユーザが、広告ＩＤ「Ａ０００１」の広告情報が示す施設に実際に訪れた数（来訪数）は「３０」であることが表されている。すなわち、この場合のエリア来訪確率は、図１４に示すように、来訪数「３０」÷広告配信数「１２０」＝２５．０％となる。【００６７】
配信エリア更新部４７は、エリア来訪確率が閾値以上のエリアのみが配信エリアに含まれるように、配信エリア管理テーブル３６に記録された配信エリア情報を更新する。なお、エリア来訪確率の閾値は、情報配信装置３の図示しないメモリに予め記録されている。【００６８】
以下では、配信エリア更新部４７の具体的な処理の一例について説明する。【００６９】
一例として、配信エリア管理テーブル３６には、図７に示すように、広告ＩＤ「Ａ０００１」の配信エリアとして、「Ｍ０００２」、「Ｍ０００３」、「Ｍ０００４」、「Ｍ０００６」、「Ｍ０００７」、「Ｍ０００８」、「Ｍ００１０」、「Ｍ００１１」、および「Ｍ００１２」が記録されている場合を考える。この場合、来訪動向管理テーブル４６には、「Ｍ０００２」のエリア来訪確率「２５．０％」、「Ｍ０００３」のエリア来訪確率「４０．０％」、「Ｍ０００４」のエリア来訪確率「５０．０％」、「Ｍ０００６」のエリア来訪確率「１０．０％」、「Ｍ０００７」のエリア来訪確率「６５．５％」、「Ｍ０００８」のエリア来訪確率「０．０％」、「Ｍ００１０」のエリア来訪確率「３５．０％」、「Ｍ００１１」のエリア来訪確率「６０．０％」、および「Ｍ００１２」のエリア来訪確率「１０．０％」が記録されているものとする。なお、閾値は「３０．０％」であるものとする。【００７０】
このような場合において、配信エリア更新部４７は、エリア来訪確率が閾値「３０．０％」以上のエリアのみが配信エリアに含まれるように、配信エリア管理テーブル３６に記録された配信エリア情報を更新する。すなわち、配信エリア更新部４７は、エリア来訪確率が閾値「３０．０％」以上のエリア、つまり、「Ｍ０００３」、「Ｍ０００４」、「Ｍ０００７」、「Ｍ００１０」、および「Ｍ００１１」のエリアのみが配信エリアに含まれるように、配信エリア管理テーブル３６に記録された配信エリア情報を更新する。この結果、配信エリア管理テーブル３６には、広告ＩＤ「Ａ０００１」の配信エリアとして、「Ｍ０００３」、「Ｍ０００４」、「Ｍ０００７」、「Ｍ００１０」、および「Ｍ００１１」が新たに記録（更新）される。このため、情報配信部３９は、「Ｍ０００３」、「Ｍ０００４」、「Ｍ０００７」、「Ｍ００１０」、および「Ｍ００１１」のエリア内に位置する移動端末２に対してのみ、広告情報を配信することが可能となる。【００７１】
なお、上記では、エリア来訪確率の閾値が一律に定められている例について説明したが、これに限定されない。例えば、エリア来訪確率の閾値は、広告毎に定められていてもよいし、施設の種別毎に定められていてもよい。【００７２】
また、上記の情報配信装置３を構成する各部材３１〜４７は、１つの装置内に纏めて構成されていてもよいし、複数の装置内に分散して構成されていてもよい。例えば、移動端末２が、車両等の移動体に搭載可能なナビゲーション装置であった場合には、情報配信装置３に備えられている施設情報管理テーブル４０、施設情報抽出部４１、滞在判定時間管理テーブル４２、および来訪判定部４４等の部材については、移動端末２内に備えられていてもよい。【００７３】
（配信システムの動作例）
次に、上記の構成に係る配信システム１の動作について、図１５〜図１８を参照しながら説明する。【００７４】
図１５は、情報配信装置３が広告情報を移動端末２へ配信する配信システム１の動作例を示すフローチャートである。まず、図１５に示すように、移動端末２の現在位置が変化すれば（Ｏｐ１にてＹＥＳ）、端末位置計測部２１は、移動端末２の現在位置を示す端末位置情報を生成し、生成した端末位置情報を端末位置送信部２２へ出力する。端末位置送信部２２は、端末位置計測部２１から出力された端末位置情報を、ネットワークＮを介して情報配信装置３へ送信する（Ｏｐ２）。一方、移動端末２の現在位置が変化しなければ（Ｏｐ１にてＮＯ）、Ｏｐ１の判定処理を繰り返す。【００７５】
次に、情報配信装置３の端末位置取得部３２は、Ｏｐ２にて送信された端末位置情報を、ネットワークＮを介して取得する（Ｏｐ３）。端末位置更新部３４は、端末位置管理テーブル３３に記録された端末位置情報を、Ｏｐ３にて取得された端末位置情報に更新する（Ｏｐ４）。また、端末位置更新部３４は、エリア管理テーブル３１を参照することにより、Ｏｐ３にて取得された端末位置情報に基づいて、移動端末２が位置しているエリアを検出する（Ｏｐ５）。端末位置更新部３４は、端末位置管理テーブル３３に記録されたエリアＩＤを、Ｏｐ５にて検出されたエリアを示すエリアＩＤに更新する（Ｏｐ６）。【００７６】
そして、広告情報抽出部３７は、配信エリア内に移動端末２が位置しているか否かを判定する（Ｏｐ７）。広告情報抽出部３７は、配信エリア内に移動端末２が位置していると判定すれば（Ｏｐ７にてＹＥＳ）、配信エリア情報が示す広告ＩＤに基づいて、広告情報管理テーブル３５から広告情報を抽出する（Ｏｐ８）。一方、広告情報抽出部３７は、配信エリア内に移動端末２が位置していないと判定すれば（Ｏｐ７にてＮＯ）、図１５の処理を終了する。【００７７】
そして、情報配信部３９は、Ｏｐ８にて抽出された広告情報が、移動端末２に既に配信されているか否かを判定する（Ｏｐ９）。情報配信部３９は、Ｏｐ８にて抽出された広告情報が、移動端末２に既に配信されていると判定すれば（Ｏｐ９にてＹＥＳ）、図１５の処理を終了する。一方、情報配信部３９は、Ｏｐ８にて抽出された広告情報が、移動端末２に未だ配信されていないと判定すれば（Ｏｐ９にてＮＯ）、当該広告情報を、当該移動端末２へ配信する（Ｏｐ１０）。これにより、移動端末２の表示部２４には、例えば、図９または図１０に示すように、Ｏｐ１０にて配信された広告情報が表示される。【００７８】
そして、情報配信部３９は、広告ＩＤ、移動端末ＩＤ、配信時端末位置情報、配信時エリアＩＤ、および配信時刻を配信情報管理テーブル４３に書き込む（Ｏｐ１１）。【００７９】
図１６は、情報配信装置３により配信された広告情報が示す施設に、移動端末２のユーザが訪れたか否かを判定する情報配信装置３の動作例を示すフローチャートである。図１６に示すように、施設情報抽出部４１は、端末位置管理テーブル３３に記録されている端末位置情報が示す移動端末２の現在位置が、施設情報管理テーブル４０に記録されている施設位置情報が示す施設の位置範囲内を示しているか否かを判定する（Ｏｐ１２）。施設情報抽出部４１は、移動端末２の現在位置が、施設の位置範囲内を示していると判定すれば（Ｏｐ１２にてＹＥＳ）、施設情報管理テーブル４０から当該施設を示す施設情報を抽出する（Ｏｐ１３）。一方、施設情報抽出部４１は、移動端末２の現在位置が、施設の位置範囲内を示していないと判定すれば（Ｏｐ１２にてＮＯ）、図１６の処理を終了する。【００８０】
そして、来訪判定部４４は、移動端末２の現在位置が、施設の位置範囲内を滞在判定時間以上示しているか否かを判定する（Ｏｐ１４）。来訪判定部４４は、移動端末２の現在位置が、施設の位置範囲内を滞在判定時間以上示していると判定すれば（Ｏｐ１４にてＹＥＳ）、Ｏｐ１３にて抽出された施設情報が示す施設に、移動端末２のユーザが訪れたと判定する。この場合、来訪判定部４４は、移動端末２のユーザが施設に訪れたことを表す“ｔｒｕｅ”を、配信情報管理テーブル４３に書き込む（Ｏｐ１５）。一方、来訪判定部４４は、移動端末２の現在位置が、施設の位置範囲内を滞在判定時間以上示していないと判定すれば（Ｏｐ１４にてＮＯ）、図１６の処理を終了する。【００８１】
図１７は、広告情報の施設に、移動端末２のユーザが訪れていないと判定した場合における情報配信装置３の動作例を示すフローチャートである。図１７に示すように、来訪判定部４４は、まず、所定時間が経過したか否かを判定する（Ｏｐ１６）。来訪判定部４４は、所定時間が経過していると判定すれば（Ｏｐ１６にてＹＥＳ）、配信情報管理テーブル４３の先頭の１レコードを抽出する（Ｏｐ１７）。一方、来訪判定部４３は、所定時間が経過していないと判定すれば（Ｏｐ１６にてＮＯ）、Ｏｐ１６の判定処理を繰り返す。なお、所定時間は、情報配信装置３の図示しないメモリに予め記録されている。【００８２】
そして、来訪判定部４４は、Ｏｐ１７にて抽出された１レコードにおける来訪の有無が“ｔｒｕｅ”であるか否かを判定する（Ｏｐ１８）。来訪判定部４４は、１レコードにおける来訪の有無が“ｔｒｕｅ”でないと判定すれば（Ｏｐ１８にてＮＯ）、１レコードにおける配信時刻と、現在時刻との差が設定時間以上であるか否かを判定する（Ｏｐ１９）。一方、来訪判定部４４は、１レコードにおける来訪の有無が“ｔｒｕｅ”であると判定すれば（Ｏｐ１８にてＹＥＳ）、Ｏｐ２１へ進む。なお、設定時間は、情報配信装置３の図示しないメモリに予め記録されている。【００８３】
そして、来訪判定部４４は、１レコードにおける配信時刻と、現在時刻との差が設定時間以上であると判定すれば（Ｏｐ１９にてＹＥＳ）、広告情報の施設に、移動端末２のユーザが訪れていないと判定し、移動端末２のユーザが施設に訪れていないことを表す“ｆａｌｓｅ”を、配信情報管理テーブル４３に書き込む（Ｏｐ２０）。一方、来訪判定部４４は、１レコードにおける配信時刻と、現在時刻との差が設定時間未満であると判定すれば（Ｏｐ１９にてＮＯ）、Ｏｐ２１へ進む。【００８４】
そして、来訪判定部４４は、配信情報管理テーブル４３に次のレコードが記録されているか否かを判定する（Ｏｐ２１）。来訪判定部４４は、配信情報管理テーブル４３に次のレコードが記録されていると判定すれば（Ｏｐ２１にてＹＥＳ）、Ｏｐ１７に戻り、配信情報管理テーブル４３の次のレコードを抽出する。一方、来訪判定部４４は、配信情報管理テーブル４３に次のレコードが記録されていないと判定すれば（Ｏｐ２１にてＮＯ）、図１７の処理を終了する。【００８５】
図１８は、配信エリア情報を更新する情報配信装置３の動作例を示すフローチャートである。図１８に示すように、配信エリア評価部４５は、情報配信部３９が広告情報を配信した際に、配信エリアを構成する複数のエリアのいずれかのエリア内に位置していた移動端末２のユーザのうち、当該移動端末２に配信された広告情報が示す施設に訪れた移動端末２のユーザの割合を示すエリア来訪確率を、配信エリアを構成する複数のエリア毎に算出する（Ｏｐ２２）。配信エリア評価部４５は、Ｏｐ２２にて算出されたエリア来訪確率を、来訪動向管理テーブル４６へ書き込む（Ｏｐ２３）。【００８６】
そして、配信エリア更新部４７は、エリア来訪確率が閾値以上のエリアのみが配信エリアに含まれるように、配信エリア管理テーブル３６に記録された配信エリア情報を更新する（Ｏｐ２４）。これにより、情報配信部３９は、Ｏｐ２４にて更新された配信エリア情報が示す配信エリア内に位置する移動端末に対して、広告情報を配信することが可能となる。【００８７】
以上のように、本実施形態に係る配信システム１によれば、配信エリア評価部４５は、情報配信部３９が広告情報を配信した際に、配信エリアを構成する複数のエリアのいずれかのエリア内に位置していた移動端末２のユーザのうち、当該移動端末２に配信された広告情報が示す地点に訪れた移動端末２のユーザの割合を示すエリア来訪確率を、配信時エリア情報に基づいて、配信エリアを構成する複数のエリア毎に算出する。配信エリア更新部４７は、エリア来訪確率が閾値以上のエリアのみが配信エリアに含まれるように、配信エリア管理テーブル３６に記録された配信エリア情報を更新する。すなわち、エリア来訪確率が閾値未満のエリアは配信エリアから除かれることになる。このため、情報配信部３９は、エリア来訪確率が閾値以上のエリア内に位置する移動端末に対してのみ、広告情報を配信することが可能となる。この結果、本実施形態に係る情報配信装置３は、移動端末２のユーザにとって不要な広告情報の配信数を減らすことができる。このため、施設の経営者等が負担すべき広告費（通信費）を抑制しつつ、施設の収益をある一定値以上に確保することが可能となる。【００８８】
なお、上述した実施形態は、本発明の実施形態の一具体例を示すものであり、種々の変形が可能である。以下、主な変形例を示す。【００８９】
[変形例]
上述の実施形態では、配信エリア更新部４７は、エリア来訪確率が閾値以上のエリアのみが配信エリアに含まれるように、配信エリア管理テーブル３６に記録された配信エリア情報を更新する例について説明した。しかしながら、エリア来訪確率が閾値以上のエリアと隣接するエリアのうち、配信エリア評価部４５によりエリア来訪確率が算出されていないエリア（つまり、未評価のエリア）も、エリア来訪確率が閾値以上である可能性が高い。このため、本変形例に係る配信エリア更新部４７は、上述の実施形態に係る配信エリア更新部４７の機能に加えて、次の機能を備えている。すなわち、本変形例に係る配信エリア更新部４７は、エリア来訪確率が閾値以上のエリアと隣接するエリアのうち、配信エリア評価部４５によりエリア来訪確率が算出されていないエリアが配信エリアに含まれるように、配信エリア管理テーブル３６に記録された配信エリア情報を更新する。【００９０】
一例として、図１９に示すように、エリアＥ2、エリアＥ3、エリアＥ4、エリアＥ6、エリアＥ7、エリアＥ8、エリアＥ10、エリアＥ11、およびエリアＥ12の９つのエリアが配信エリアＨであった場合を考える。この場合、エリア来訪確率が閾値以上のエリアは、エリアＥ7、エリアＥ10、およびエリアＥ11の３つのエリアであったものとする。このため、エリア来訪確率が閾値以上のエリアと隣接するエリアのうち、配信エリア評価部４５によりエリア来訪確率が算出されていないエリアは、エリアＥ9、エリアＥ14、およびエリアＥ15の３つのエリアとなる。【００９１】
このような場合において、配信エリア更新部４７は、エリアＥ7、エリアＥ9、エリアＥ10、エリアＥ11、エリアＥ14、およびエリアＥ15の６つのエリアのみが配信エリアに含まれるように、配信エリア管理テーブル３６に記録された配信エリア情報を更新する。これにより、情報配信部３９は、エリア来訪確率が閾値以上のエリアと隣接するエリアのうち、配信エリア評価部４５によりエリア来訪確率が算出されていないエリア内に位置する移動端末２に対しても、広告情報を配信することが可能となる。【００９２】
すなわち、上述の実施形態では、配信エリア情報が更新される度に、配信エリアが狭くなっていくが、本変形例では、配信エリア情報が更新されても、配信エリアをある一定の範囲に保つことが可能となる。【００９３】
なお、上記では、配信エリア更新部４７は、エリア来訪確率が閾値以上のエリアと隣接するエリアのうち、配信エリア評価部４５によりエリア来訪確率が算出されていないエリアが配信エリアに含まれるように、配信エリア情報を更新する例について説明したが、これに限定されない。すなわち、エリア来訪確率が閾値以上のエリアと隣接するエリアに限らず、エリア来訪確率が閾値以上のエリアの近辺のエリアであってもよい。つまり、配信エリア更新部４７は、エリア来訪確率が閾値以上のエリアの近辺のエリアのうち、配信エリア評価部４５によりエリア来訪確率が算出されていないエリアが配信エリアに含まれるように、配信エリア情報を更新してもよい。【００９４】
[実施の形態２]
実施の形態１では、配信エリアを構成する複数のエリア毎にエリア来訪確率を算出し、算出したエリア来訪確率が閾値以上のエリア内に位置する移動端末に対してのみ、広告情報を配信する例について説明した。しかしながら、エリア来訪確率が閾値以上のエリアであっても、移動端末のユーザが、施設が位置している方位（または、施設へ向かう道路の走行先の方位）へ移動しているか否かに応じて、来訪確率が異なってくると考えられる。すなわち、配信エリア内に位置する移動端末のユーザが、例えば、施設が位置している方位へ移動している場合に、当該移動端末に広告情報が配信されれば、当該移動端末のユーザは、当該施設に訪れる可能性が高いと考えられる。一方、配信エリア内に位置する移動端末のユーザが、例えば、施設が位置する方位とは逆の方位へ移動している場合に、当該移動端末に広告情報が配信されても、当該移動端末のユーザは、当該施設に訪れる可能性は低いと考えられる。このため、施設が位置している方位へ移動しているユーザに対しては有益な広告情報となるが、施設が位置している方位とは逆の方位へ移動しているユーザに対しては無駄な広告情報となる。したがって、本実施形態では、エリア来訪確率が閾値以上のエリア内に移動端末が位置していても、移動端末が移動している方位に応じて、広告情報を配信するか否かを決定する例について説明する。【００９５】
図２０は、本実施形態に係る配信システム１０の概略構成を示すブロック図である。すなわち、本実施形態に係る配信システム１０は、移動端末５ａ，５ｂ、および情報配信装置６を備えている。移動端末５ａ，５ｂ、および情報配信装置６は、ネットワークＮを介して互いに接続されている。ここで、移動端末５ａ，５ｂは、携帯電話、ＰＤＡ、ＰＨＳ、ＨＨＴ、カーナビゲーションシステム等であるが、本実施形態においては、カーナビゲーションシステムであるものとする。このため、本実施形態に係る移動端末５は、車両等の移動体Ｃに搭載される。また、情報配信装置６は、配信エリア内に位置する移動端末５に対して、広告情報（通知情報）を配信するための装置である。なお、ネットワークＮは、例えば、インターネット、イーサネット（登録商標）、無線ＬＡＮ、携帯電話データ通信網、任意のコンピュータネットワーク等である。【００９６】
（移動端末の構成）
移動端末５ａは、端末位置計測部５１、端末位置送信部５２、端末方位計測部５３、端末方位送信部５４、広告情報受信部５５、音声出力部５６、施設情報管理テーブル５７、設定情報検出部５８、来訪判定部５９、および来訪情報送信部６０を備えている。なお、移動端末５ｂの構成も、移動端末５ａの構成と同様である。【００９７】
ここで、上記の端末位置計測部５１、端末位置送信部５２、端末方位計測部５３、端末方位送信部５４、広告情報受信部５５、音声出力部５６、設定情報検出部５８、来訪判定部５９、および来訪情報送信部６０の各機能は、コンピュータが備えるＣＰＵ等の演算装置が所定のプログラムを実行することによって実現される。したがって、上記の各機能をコンピュータで実現するためのプログラムまたはそれを記録した記録媒体も本発明の一実施態様である。また、施設情報管理テーブル５７は、コンピュータの内蔵記憶装置またはこのコンピュータからアクセス可能な記憶装置によって具現化される。【００９８】
端末位置計測部５１は、図１に示す端末位置計測部２１と同様の機能を有する。すなわち、端末位置計測部５１は、移動端末５ａの現在位置を計測する。【００９９】
端末位置送信部５２は、図１に示す端末位置送信部２２と同様の機能を有する。すなわち、端末位置送信部５２は、端末位置計測部５１により計測された端末位置情報を、ネットワークＮを介して情報配信装置６へ送信する。【０１００】
端末方位計測部５３は、端末位置計測部５１により計測された端末位置情報に基づいて、移動端末５ａが移動している方位を計測する。ここで、本実施形態においては、方位には、北、北東、東、南東、南、南西、西、北西の８方位が含まれるが、これに限定されるものではなく、任意である。つまり、１６方位であってもよいし、２４方位であってもよい。また、４方位であってもよい。端末方位計測部５３は、計測結果に基づいて、移動端末５ａが移動している方位を示す端末方位情報を生成する。端末方位計測部５３は、生成した端末方位情報を、端末方位送信部５４へ出力する。【０１０１】
端末方位送信部５４は、端末方位計測部５３から出力された端末方位情報を、ネットワークＮを介して情報配信装置６へ送信する。【０１０２】
広告情報受信部５５は、図１に示す広告情報受信部２３と同様の機能を有する。すなわち、広告情報受信部５５は、情報配信装置６から配信された広告情報を、ネットワークＮを介して受信する。広告情報受信部５５は、受信した広告情報を音声出力部５６および来訪判定部５９へ出力する。【０１０３】
音声出力部５６は、広告情報受信部５５から出力された広告情報を音声にて出力する。このため、音声出力部５６は、音声合成機能を有している。音声出力部５６により広告情報が音声にて出力されるので、ユーザが移動体Ｃを運転中であっても、当該ユーザは、いわゆるアイズフリー（目を使わない）にて広告情報を確認することが可能となる。【０１０４】
施設情報管理テーブル５７は、施設を識別する施設情報、および、当該施設の位置範囲を示す施設位置情報を記録する。施設情報管理テーブル５７に記録されたデータは、図１１に示す施設情報管理テーブル４０に記録されたデータと同様である。【０１０５】
設定情報検出部５８は、移動端末５ａのユーザが、ナビゲーションを実現するために、例えば、所望の施設を目的地または経由地として設定した場合に、当該設定した施設を設定情報として検出する。設定情報検出部５８は、検出した設定情報に基づいて、施設情報管理テーブル５７から施設情報を抽出する。設定情報検出部５８は、抽出した施設情報を来訪判定部５９へ出力する。【０１０６】
来訪判定部５９は、広告情報が配信された移動端末５ａのユーザが、当該広告情報が示す施設を目的地または経由地として設定した場合、当該施設に、移動端末５ａのユーザが訪れたと判定する。【０１０７】
具体的には、来訪判定部５９は、広告情報受信部５５から出力された広告情報が示す施設ＩＤと、設定情報検出部５８から出力された施設情報が示す施設ＩＤとが一致するか否かを判定する。来訪判定部５９は、広告情報受信部５５から出力された広告情報が示す施設ＩＤと、設定情報検出部５８から出力された施設情報が示す施設ＩＤとが一致していると判定すれば、広告情報受信部５５から出力された施設情報が示す施設に、移動端末５ａのユーザが訪れたと判定する。この場合、来訪判定部５９は、移動端末５ａのユーザが広告情報の施設に訪れたことを示す来訪情報を、来訪情報送信部６０へ出力する。【０１０８】
来訪情報送信部６０は、来訪判定部５９から出力された来訪情報を、ネットワークＮを介して情報配信装置６へ送信する。【０１０９】
（移動端末へ広告情報を配信するための情報配信装置の構成）
図２１は、本実施形態に係る情報配信装置６の概略構成を示すブロック図である。ここで、情報配信装置６は、施設が取り扱う商品の広告を示す広告情報を移動端末５へ配信する機能を備えている。このため、情報配信装置６は、エリア管理テーブル６１、端末位置取得部６２、端末方位取得部６３、端末位置管理テーブル６４、端末位置更新部６５、広告情報管理テーブル６６、配信エリア管理テーブル６７、広告情報抽出部６８、ユーザ情報管理テーブル６９、および情報配信部７０を備えている。なお、上記の各テーブル６１，６４，６６，６７，６９は、情報配信装置６の管理データベースＤ内に格納されている。【０１１０】
ここで、上記の端末位置取得部６２、端末方位取得部６３、端末位置更新部６５、広告情報抽出部６８、および情報配信部７０の各機能は、コンピュータが備えるＣＰＵ等の演算装置が所定のプログラムを実行することによって実現される。したがって、上記の各機能をコンピュータで実現するためのプログラムまたはそれを記録した記録媒体も本発明の一実施態様である。また、エリア管理テーブル６１、端末位置管理テーブル６４、広告情報管理テーブル６６、配信エリア管理テーブル６７、およびユーザ情報管理テーブル６９は、コンピュータの内蔵記憶装置またはこのコンピュータからアクセス可能な記憶装置によって具現化される。【０１１１】
エリア管理テーブル６１は、各エリアの範囲を示す範囲情報を予め記録する。エリア管理テーブル６１に記録されたデータは、図４に示すエリア管理テーブル３１に記録されたデータと同様である。【０１１２】
端末位置取得部６２は、図１に示す端末位置取得部３２と同様の機能を有する。すなわち、端末位置取得部６２は、移動端末５から送信された端末位置情報を、ネットワークＮを介して取得する。【０１１３】
端末方位取得部６３は、移動端末５から送信された端末方位情報を、ネットワークＮを介して取得する。端末方位取得部６３は、取得した端末方位情報を端末位置更新部６５へ出力する。【０１１４】
端末位置管理テーブル６４は、移動端末５の現在位置を示す端末位置情報、および、移動端末５が移動している方位を示す端末方位情報を記録する。図２２は、端末位置管理テーブル６４に記録されたデータの一例を示す図である。図２２に示すように、端末位置管理テーブル６４には、移動端末ＩＤと、緯度情報と、経度情報と、移動方位と、エリアＩＤと、最終更新時刻とが記録されている。ここで、移動方位は、移動端末５が現在移動している方位を示す。なお、端末方位情報には、移動方位が含まれる。【０１１５】
端末位置更新部６５は、端末位置管理テーブル６４に記録された端末位置情報を、端末位置取得部６２から出力された端末位置情報に更新する。また、端末位置更新部６５は、端末位置管理テーブル６４に記録された端末方位情報を、端末方位取得部６３から出力された端末方位情報に更新する。また、端末位置更新部６５は、エリア管理テーブル６１を参照することにより、端末位置取得部６２から出力された端末位置情報に基づいて、移動端末５が位置しているエリアを検出する。端末位置更新部６５は、端末位置管理テーブル６４に記録されたエリアＩＤを、検出したエリアが示すエリアＩＤに更新する。さらに、端末位置更新部６５は、端末位置情報、端末方位情報、およびエリアＩＤを更新した時刻を、端末位置管理テーブル６４の最終更新時刻に書き込む。【０１１６】
広告情報管理テーブル（通知情報記録部）６６は、施設が取り扱う商品の広告を示す広告情報を予め記録する。広告情報管理テーブル６６に記録されたデータは、図６に示す広告情報管理テーブル３５に記録されたデータと同様である。【０１１７】
配信エリア管理テーブル（配信エリア記録部）６７は、広告情報を配信すべき配信エリアを示す配信エリア情報、および、配信方位を示す配信方位情報を記録する。図２３は、配信エリア管理テーブル６７に記録されたデータの一例を示す図である。図２３に示すように、配信エリア管理テーブル６７には、広告ＩＤと、配信エリアと、配信方位とが記録されている。ここで、配信方位は、配信エリアを構成する複数のエリア毎に記録される。図２３に示す配信エリア管理テーブル６７では、配信方位として、配信エリアを構成する複数のエリア毎に、北、北東、東、南東、南、南西、西、北西の８方位が記録されている。なお、配信エリア情報には、上記の広告ＩＤおよび配信エリアが含まれる。配信方位情報には、上記の配信方位が含まれる。【０１１８】
広告情報抽出部６８は、配信エリアを構成する複数のエリアのいずれかのエリア内に移動端末５が位置しており、かつ当該エリアにおける配信方位情報が示す配信方位へ移動端末５が移動している場合に、広告情報管理テーブル６６から広告情報を抽出する。具体的には、広告情報抽出部６８は、まず、配信エリア管理テーブル６７に記録された配信エリア情報を抽出する。また、広告情報抽出部６８は、端末位置管理テーブル６４に記録されたエリアＩＤを抽出する。そして、広告情報抽出部６８は、抽出したエリアＩＤが示すエリアが、配信エリア情報が示す配信エリアに含まれているか否かを判定する。広告情報抽出部６８は、抽出したエリアＩＤが示すエリアが、配信エリア情報が示す配信エリアに含まれていると判定すれば、さらに次の処理を行う。【０１１９】
すなわち、広告情報抽出部６８は、配信エリア管理テーブル６７に記録された配信方位情報を抽出する。また、広告情報抽出部６８は、端末位置管理テーブル６４に記録された端末方位情報を抽出する。そして、広告情報抽出部６８は、抽出した端末方位情報が示す移動端末５の移動方位が、配信方位情報が示す配信方位と一致するか否かを判定する。広告情報抽出部６８は、抽出した端末方位情報が示す移動端末５の移動方位が、配信方位情報が示す配信方位と一致すると判定すれば、配信エリア情報が示す広告ＩＤに基づいて、広告情報管理テーブル６６から広告情報を抽出する。広告情報抽出部６８は、抽出した広告情報を情報配信部７０へ出力する。【０１２０】
ユーザ情報管理テーブル６９は、移動端末５のユーザ情報を記録する。ユーザ情報管理テーブル６９に記録されたデータは、図８に示すユーザ情報管理テーブル３８に記録されたデータと同様である。【０１２１】
情報配信部７０は、配信エリアを構成する複数のエリアのいずれかのエリア内に位置しており、かつ当該エリアにおける配信方位情報が示す配信方位へ移動している移動端末５に対して、広告情報抽出部６８から出力された広告情報を配信する。【０１２２】
一例として、情報配信部７０が、移動端末５ａに対して、施設名称“ＡＡＡ”（施設ＩＤ“Ｃ０００１”）のコンビニエンスストアの広告情報を配信したものとする。この場合、移動端末５ａの音声出力部５６は、移動端末５ａのユーザに対して、“コンビニエンスストア「ＡＡＡ」では、ただいま、おにぎり１０％ＯＦＦセール中。是非、お立ち寄り下さい。”を音声にて出力する。他の例として、情報配信部７０が、移動端末５ａに対して、施設名称“ＣＣＣ”（施設ＩＤ“Ｇ０００１”）のガソリンスタンドの広告情報を配信したものとする。この場合、移動端末５ａの音声出力部５６は、移動端末５ａのユーザに対して、“ガソリンスタンド「ＣＣＣ」では、本日、レギュラーガソリン２円引き。是非、お立ち寄り下さい。” を音声にて出力する。なお、これらの広告情報の内容は、あくまで一例である。【０１２３】
（配信方位情報を更新するための情報配信装置の構成）
情報配信装置６は、配信エリアを構成する複数のエリアのそれぞれのエリアにおける予め決められた複数の方位のそれぞれについて方位来訪確率を算出し、算出した方位来訪確率に基づいて、配信方位情報を更新する機能をさらに備えている。このため、情報配信装置６は、来訪情報受信部７１、配信情報管理テーブル７２、来訪管理部７３、配信エリア評価部７４、来訪動向管理テーブル７５、および配信エリア更新部７６をさらに備えている。なお、上記の各テーブル７２，７５は、情報配信装置６の管理データベースＤ内に格納されている。【０１２４】
ここで、上記の来訪情報受信部７１、来訪管理部７３、配信エリア評価部７４、および配信エリア更新部７６の各機能は、コンピュータが備えるＣＰＵ等の演算装置が所定のプログラムを実行することによって実現される。したがって、上記の各機能をコンピュータで実現するためのプログラムまたはそれを記録した記録媒体も本発明の一実施態様である。また、配信情報管理テーブル７２および来訪動向管理テーブル７５は、コンピュータの内蔵記憶装置またはこのコンピュータからアクセス可能な記憶装置によって具現化される。【０１２５】
来訪情報受信部７１は、移動端末５から送信された来訪情報を、ネットワークＮを介して受信する。来訪情報受信部７１は、受信した来訪情報を来訪管理部７３へ出力する。【０１２６】
配信情報管理テーブル（配信情報記録部）７２は、配信時端末位置情報、配信時端末方位情報、配信時エリア情報、および来訪情報を記録する。なお、配信時端末方位情報は、端末方位情報により得られる、情報配信部７０が移動端末５に対して広告情報を配信した際における当該移動端末５が移動している方位を示す。図２４は、配信情報管理テーブル７２に記録されたデータの一例を示す図である。図２４に示ように、配信情報管理テーブル７２には、広告ＩＤと、移動端末ＩＤと、配信時緯度情報と、配信時経度情報と、配信時端末方位情報と、配信時エリアＩＤと、配信時刻と、来訪の有無とが記録されている。【０１２７】
来訪管理部７３は、来訪情報受信部７１から出力された来訪情報に基づいて、配信情報管理テーブル７２の来訪の有無に“ｔｒｕｅ”を書き込む。また、来訪管理部７３は、所定時間毎に配信情報管理テーブル７２のレコードを抽出し、抽出したレコードにおける来訪の有無が“ｔｒｕｅ”でない場合、抽出したレコードにおける配信時刻と現在時刻との差を比較し、この差が設定時間以上であれば、広告情報が示す施設に、移動端末５のユーザが訪れていないと判定する。この場合、来訪管理部７３は、移動端末５のユーザが施設に訪れていないことを表す“ｆａｌｓｅ”を、配信情報管理テーブル７２に書き込む。【０１２８】
配信エリア評価部７４は、図２に示す配信エリア評価部４５の機能に加えて、次の機能を備えている。すなわち、配信エリア評価部７４は、配信エリアを構成する複数のエリアのそれぞれのエリアにおける予め決められた複数の方位のそれぞれについて、情報配信部７０が広告情報を配信した際に、配信エリアを構成する複数のエリアのいずれか１つのエリアにおいて複数の方位のいずれか１つの方位へ移動していた移動端末５のユーザのうち、当該移動端末５に配信された広告情報が示す施設に訪れた移動端末５のユーザの割合を示す方位来訪確率（方位来訪評価値）を算出する。【０１２９】
具体的には、配信エリア評価部７４は、まず、同一の広告ＩＤおよび同一の配信時エリアＩＤに対応付けられた配信時端末方位情報および来訪情報を、配信情報管理テーブル７２から抽出する。そして、配信エリア評価部７４は、配信エリアを構成する複数のエリアのそれぞれのエリアにおける方位毎に、当該方位へ移動している移動端末５に対して、広告情報を配信した総数（広告配信数）を算出する。また、配信エリア評価部７４は、来訪情報が示す来訪の有無に基づいて、算出した広告配信数のうち、移動端末５のユーザが、広告情報が示す施設に実際に訪れた数（来訪数）を算出する。さらに、配信エリア評価部７４は、算出した来訪数を、算出した広告配信数で割ることにより、方位来訪確率を算出する。配信エリア評価部７４は、算出した広告配信数、来訪数、および方位来訪確率を、配信動向管理テーブル７５へ書き込む。【０１３０】
このように、配信エリア評価部７４は、同一の広告ＩＤおよび同一の配信時エリアＩＤ毎に、配信時端末方位情報および来訪情報を、配信情報管理テーブル７２から抽出し、抽出した配信時端末方位情報および来訪情報に基づいて算出した広告配信数、来訪数、および方位来訪確率を、配信動向管理テーブル７５へ順次書き込んでいく。ここで、上記の広告配信数、来訪数、および方位来訪確率は、来訪動向情報となる。【０１３１】
来訪動向管理テーブル７５は、配信エリア評価部７４によって書き込まれた来訪動向情報を記録する。図２５は、来訪動向管理テーブル７５に記録されたデータの一例を示す図である。図２５に示すように、来訪動向管理テーブル７５には、広告ＩＤと、エリアＩＤと、広告配信数（エリア）と、来訪数（エリア）と、エリア来訪確率と、方位と、広告配信数（方位）と、来訪数（方位）と、方位来訪確率とが記録されている。例えば、図２５に示す来訪動向管理テーブル７５では、エリアＩＤ「Ｍ０００２」のエリア内に位置しており、かつ「北」へ移動している移動端末５に対して、広告ＩＤ「Ａ０００１」の広告情報を配信した総数（広告配信数（方位））は「３０」であって、かつ、広告配信数「３０」のうち、移動端末５のユーザが、広告ＩＤ「Ａ０００１」の広告情報が示す施設に実際に訪れた数（来訪数（方位））は「１５」であることが表されている。すなわち、この場合の方位来訪確率は、図２５に示すように、来訪数（方位）「１５」÷広告配信数（方位）「３０」＝５０．０％となる。【０１３２】
配信エリア更新部７６は、図２に示す配信エリア更新部４７の機能に加えて、次の機能を備えている。すなわち、配信エリア更新部７６は、エリア来訪確率が閾値以上のエリアにおいて、方位来訪確率が閾値以上の方位へ移動している移動端末５に対してのみ、広告情報が配信されるように、配信エリア管理テーブル６７に記録された配信方位情報を更新する。このため、情報配信部７０は、エリア来訪確率が閾値以上のエリア内に位置しており、かつ当該エリアにおける方位来訪確率が閾値以上の方位へ移動している移動端末５に対してのみ、広告情報を配信することが可能となる。なお、方位来訪確率の閾値は、情報配信装置６の図示しないメモリに予め記録されている。【０１３３】
なお、上記では、方位来訪確率の閾値が一律に定められている例について説明したが、これに限定されない。例えば、方位来訪確率の閾値は、エリア毎に定められていてもよいし、方位毎に定められていてもよい。また、エリア来訪評価値の閾値と方位来訪評価値の閾値とは、同じ値であってもよいし、異なる値であってもよい。【０１３４】
（配信システムの動作例）
次に、上記の構成に係る配信システム１０の動作について、図２６〜図２８を参照しながら説明する。【０１３５】
図２６は、情報配信装置６が広告情報を移動端末５へ配信する配信システム１０の動作例を示すフローチャートである。図２６に示すように、配信システム１０は、Ｏｐ３１〜Ｏｐ３３の処理を行う。なお、図２６に示すＯｐ３１〜Ｏｐ３３の処理は、図１５に示すＯｐ１〜Ｏｐ３の処理と同様であるので、ここではその説明は省略する。【０１３６】
そして、端末方位計測部５３は、移動端末５が移動している方位を示す端末方位情報を生成し、生成した端末方位情報を端末方位送信部５４へ出力する。端末方位送信部５４は、端末方位計測部５３から出力された端末方位情報を、ネットワークＮを介して情報配信装置６へ送信する（Ｏｐ３４）。【０１３７】
次に、情報配信装置６の端末方位取得部６３は、Ｏｐ３４にて送信された端末方位情報を、ネットワークＮを介して取得する（Ｏｐ３５）。そして、情報配信装置６は、Ｏｐ３６〜Ｏｐ３８の処理を行う。なお、図２６に示すＯｐ３６〜Ｏｐ３８の処理は、図１５に示すＯｐ４〜Ｏｐ６の処理と同様であるので、ここではその説明は省略する。そして、端末位置更新部６５は、端末位置管理テーブル６４に記録された端末方位情報を、Ｏｐ３５にて取得された端末方位情報に更新する（Ｏｐ３９）。【０１３８】
そして、広告情報抽出部６８は、配信エリアを構成する複数のエリアのいずれかのエリア内に移動端末５が位置しており、かつ当該エリアにおける配信方位情報が示す配信方位へ移動端末５が移動しているか否かを判定する（Ｏｐ４０）。広告情報抽出部６８は、上記のエリア内に移動端末５が位置しており、かつ当該エリアにおける配信方位情報が示す配信方位へ移動端末５が移動していると判定すれば（Ｏｐ４０にてＹＥＳ）、配信エリア情報が示す広告ＩＤに基づいて、広告情報管理テーブル６６から広告情報を抽出する（Ｏｐ４１）。一方、広告情報抽出部６８は、上記のエリア内に移動端末５が位置しており、かつ当該エリアにおける配信方位情報が示す配信方位へ移動端末５が移動していないと判定すれば（Ｏｐ４０にてＮＯ）、図２６の処理を終了する。【０１３９】
そして、情報配信部７０は、Ｏｐ４１にて抽出された広告情報が、移動端末５に既に配信されているか否かを判定する（Ｏｐ４２）。情報配信部７０は、Ｏｐ４１にて抽出された広告情報が、移動端末５に既に配信されていると判定すれば（Ｏｐ４２にてＹＥＳ）、図２６の処理を終了する。一方、情報配信部７０は、Ｏｐ４１にて抽出された広告情報が、移動端末５に未だ配信されていないと判定すれば（Ｏｐ４２にてＮＯ）、当該広告情報を、当該移動端末５へ配信する（Ｏｐ４３）。これにより、移動端末５の音声出力部５６からは、Ｏｐ４３にて配信された広告情報が音声にて出力される。【０１４０】
そして、情報配信部７０は、広告ＩＤ、移動端末ＩＤ、配信時端末位置情報、配信時端末方位情報、配信時エリアＩＤ、および配信時刻を配信情報管理テーブル７２に書き込む（Ｏｐ４４）。【０１４１】
図２７は、情報配信装置６により配信された広告情報が示す施設に、移動端末５のユーザが訪れたか否かを判定する配信システム１０の動作例を示すフローチャートである。図２７に示すように、設定情報検出部５８は、移動端末５のユーザが、所望の施設を目的地または経由地として設定した場合、設定した施設を設定情報として検出する（Ｏｐ４５）。設定情報検出部５８は、Ｏｐ４５にて検出された設定情報に基づいて、施設情報管理テーブル５７から施設情報を抽出する（Ｏｐ４６）。【０１４２】
そして、来訪判定部５９は、広告情報受信部５５から出力された広告情報が示す施設ＩＤと、Ｏｐ４６にて抽出された施設情報が示す施設ＩＤとが一致するか否かを判定する（Ｏｐ４７）。来訪判定部５９は、広告情報が示す施設ＩＤと、Ｏｐ４６にて抽出された施設情報が示す施設ＩＤとが一致すると判定すれば（Ｏｐ４７にてＹＥＳ）、広告情報が示す施設に、移動端末５のユーザが訪れたと判定する。この場合、来訪判定部５９は、移動端末５のユーザが広告情報の施設に訪れたことを示す来訪情報を、来訪情報送信部６０に出力する（Ｏｐ４８）。一方、来訪判定部５９は、広告情報が示す施設ＩＤと、Ｏｐ４６にて抽出された施設情報が示す施設ＩＤとが一致しないと判定すれば（Ｏｐ４７にてＮＯ）、図２７の処理を終了する。【０１４３】
そして、来訪情報送信部６０は、Ｏｐ４８にて出力された来訪情報を、ネットワークＮを介して情報配信装置６へ送信する（Ｏｐ４９）。【０１４４】
次に、情報配信装置６の来訪受信部７１は、Ｏｐ４９にて送信された来訪情報を、ネットワークＮを介して受信する（Ｏｐ５０）。そして、来訪管理部７３は、Ｏｐ５０にて受信された来訪情報に基づいて、配信情報管理テーブル７２の来訪の有無に“ｔｒｕｅ”を書き込む（Ｏｐ５１）。【０１４５】
なお、来訪管理部７３が、配信情報管理テーブル７２の来訪の有無に“ｆａｌｓｅ”を書き込む処理は、図１７の処理と同様である。したがって、ここではその説明を省略する。【０１４６】
図２８は、配信エリア情報および配信方位情報を更新する情報配信装置６の動作例を示すフローチャートである。図２８に示すように、配信エリア評価部７４は、Ｏｐ５２およびＯｐ５３の処理を行う。なお、図２８に示すＯｐ５２およびＯｐ５３の処理は、図１８に示すＯｐ２２およびＯｐ２３の処理と同様であるので、ここではその説明は省略する。【０１４７】
そして、配信エリア評価部７４は、配信エリアを構成する複数のエリアのそれぞれのエリアにおける予め決められた複数の方位のそれぞれについて、情報配信部７０が広告情報を配信した際に、配信エリアを構成する複数のエリアのいずれか１つのエリアにおいて複数の方位のいずれか１つの方位へ移動していた移動端末５のユーザのうち、当該移動端末５に配信された広告情報が示す施設に訪れた移動端末５のユーザの割合を示す方位来訪確率を算出する（Ｏｐ５４）。配信エリア評価部７４は、Ｏｐ５４にて算出された方位来訪確率を、来訪動向管理テーブル７５へ書き込む（Ｏｐ５５）。【０１４８】
そして、配信エリア更新部７６は、Ｏｐ５６の処理を行う。なお、図２８に示すＯｐ５６の処理は、図１８に示すＯｐ２４の処理と同様であるので、ここではその説明は省略する。そして、配信エリア更新部７６は、エリア来訪確率が閾値以上のエリアにおいて、方位来訪確率が閾値以上の方位へ移動している移動端末５に対してのみ、広告情報が配信されるように、配信エリア管理テーブル６７に記録された配信方位情報を更新する（Ｏｐ５７）。これにより、情報配信部７０は、エリア来訪確率が閾値以上のエリア内に位置しており、かつ当該エリアにおける方位来訪確率が閾値以上の方位へ移動している移動端末５に対してのみ、広告情報を配信することが可能となる。【０１４９】
以上のように、本実施形態に係る配信システム１０によれば、エリア来訪確率が閾値以上のエリアであっても、方位来訪確率が閾値未満の方位へ移動している移動端末５に対しては、広告情報は配信されないことになる。すなわち、情報配信部７０は、エリア来訪確率が閾値以上のエリアにおいて、方位来訪確率が閾値以上の方位へ移動している移動端末５に対してのみ広告情報を配信することが可能となる。この結果、本実施形態に係る情報配信装置６は、実施の形態１に係る情報配信装置３と比較して、移動端末５のユーザにとって不要な広告情報の配信数をより減らすことができる。【０１５０】
なお、上述した実施形態は、本発明の実施形態の一具体例を示すものであり、種々の変形が可能である。以下、主な変形例を示す。【０１５１】
[変形例]
上述の実施形態では、配信エリア更新部７６は、エリア来訪確率が閾値以上のエリアにおいて、方位来訪確率が閾値以上の方位へ移動している移動端末５に対してのみ広告情報が配信されるように、配信エリア管理テーブル６７に記録された配信方位情報を更新する例について説明した。しかしながら、エリア来訪確率が閾値以上のエリアの近辺のエリアであって、かつ当該エリア来訪確率が閾値以上のエリアにおける方位来訪確率が閾値以上の方位と逆の方位にあるエリアのうち、配信エリア評価部７４によりエリア来訪確率が算出されていないエリア（つまり、未評価のエリア）も、エリア来訪確率が閾値以上である可能性が高い。このため、本変形例に係る配信エリア更新部７６は、上述の実施形態に係る配信エリア更新部７６の機能に加えて、次の機能を備えている。すなわち、本変形例に係る配信エリア更新部７６は、エリア来訪確率が閾値以上のエリアの近辺のエリアであって、かつ当該エリア来訪確率が閾値以上のエリアにおける方位来訪確率が閾値以上の方位と逆の方位にあるエリアのうち、配信エリア評価部７４によりエリア来訪確率が算出されていないエリアが配信エリアに含まれるように、配信エリア管理テーブル６７に記録された配信エリア情報を更新する。【０１５２】
一例として、図２９に示すように、エリアＥ2、エリアＥ3、エリアＥ4、エリアＥ6、エリアＥ7、エリアＥ8、エリアＥ10、エリアＥ11、およびエリアＥ12の９つのエリアが配信エリアＨであった場合を考える。この場合、エリア来訪確率が閾値以上のエリアは、エリアＥ6、エリアＥ10、およびエリアＥ11の３つのエリアであったものとする。また、エリアＥ6における方位来訪確率が閾値以上の方位は南（図２９では、矢印Ａ1の方向）、エリアＥ10における方位来訪確率が閾値以上の方位は東、南東、南（図２９では、それぞれ矢印Ａ2，Ａ3，Ａ4の方向）、エリアＥ11における方位来訪確率が閾値以上の方位は東（図２９では、矢印Ａ5の方向）であったものとする。このため、エリア来訪確率が閾値以上のエリアの近辺のエリアであって、かつ当該エリア来訪確率が閾値以上のエリアにおける方位来訪確率が閾値以上の方位と逆の方位にあるエリアのうち、配信エリア評価部７４によりエリア来訪確率が算出されていないエリアは、エリアＥ5、エリアＥ9、エリアＥ13、エリアＥ14、およびエリアＥ15の５つのエリアとなる。なお、本変形例においては、閾値以上のエリアの近辺のエリアは、閾値以上のエリアの１マス隣（斜め方向も含む）のエリアをいうが、これに限定されるものではない。【０１５３】
このような場合において、配信エリア更新部７６は、エリアＥ5、エリアＥ6、エリアＥ9、エリアＥ10、エリアＥ11、エリアＥ13、エリアＥ14、およびエリアＥ15の８つのエリアのみが配信エリアに含まれるように、配信エリア管理テーブル６７に記録された配信エリア情報を更新する。これにより、情報配信部７０は、エリア来訪確率が閾値以上のエリアの近辺のエリアであって、かつ当該エリア来訪確率が閾値以上のエリアにおける方位来訪確率が閾値以上の方位と逆の方位にあるエリア内に位置する移動端末に対しても、広告情報を配信することが可能となる。【０１５４】
なお、第１および第２の実施形態において、情報配信装置は、施設が取り扱う商品の広告を示す広告情報を移動端末へ配信する例について説明したが、これに限定されない。例えば、情報配信装置は、施設の評判を示す評判情報（クチコミ情報）を移動端末へ配信してもよい。また、情報配信装置は、ある場所（地点）で行われるイベントの内容を示すイベント情報を移動端末へ配信してもよい。すなわち、情報配信装置は、所定の地点に関する通知情報を移動端末へ配信できれば、上記の広告情報、評判情報、イベント情報等には限定されない。【０１５５】
また、第２の実施形態において、移動端末が移動している方位に応じて、広告情報を配信するか否かを決定する例について説明したが、これに限定されない。例えば、移動端末が移動している速度に応じて、広告情報を配信するか否かを決定してもよい。すなわち、配信エリア内に位置する移動端末のユーザが、車（または電車）で移動しているのか、歩いて移動しているのかに応じて、広告情報を配信するか否かを決定する。また、移動端末が移動している方位と、移動端末が移動している速度とに応じて、広告情報を配信するか否かを決定してもよい。【０１５６】
また、第１の実施形態において、来訪判定部は、移動端末の現在位置が、施設の位置範囲内を滞在判定時間以上示している場合、当該施設に、移動端末のユーザが訪れたと判定する例について説明した。また、第２の実施形態において、来訪判定部は、広告情報が配信された移動端末のユーザが、当該広告情報の施設を目的地または経由地として設定した場合、当該施設に、移動端末のユーザが訪れたと判定する例について説明した。しかしながら、本発明は、この態様のみに限定されるものではない。例えば、来訪判定部は、移動端末のユーザが、移動端末を用いて施設に陳列されている商品などを決済した場合、当該施設に、移動端末のユーザが訪れたと判定してもよい。また、来訪判定部は、移動体の燃料の増加が検出された場合、ガソリンスタンド（施設）に、移動体のユーザが訪れたと判定してもよい。【０１５７】
さらに、第１および第２の実施形態において、各テーブルが各データを記録する例について説明したが、これに限定されない。すなわち、データを記録できる記録部であれば、テーブルには限定されない。【０１５８】
すなわち、本発明は上述した第１および第２の実施形態に限定されるものではなく、請求項に示した範囲で種々の変更が可能である。つまり、請求項に示した範囲で適宜変更した技術的手段を組み合わせて得られる実施形態についても本発明の技術的範囲に含まれる。
【産業上の利用可能性】
【０１５９】
以上のように、本発明は、移動端末のユーザにとって不要な通知情報の配信数を減らすことができる情報配信装置、情報配信方法、またはプログラムとして有用である。
【図１】
2009122498.tif 000003
【図２】
2009122498.tif 000004
【図３】
2009122498.tif 000005
【図４】
2009122498.tif 000006
【図５】
2009122498.tif 000007
【図６】
2009122498.tif 000008
【図７】
2009122498.tif 000009
【図８】
2009122498.tif 000010
【図９】
2009122498.tif 000011
【図１０】
2009122498.tif 000012
【図１１】
2009122498.tif 000013
【図１２】
2009122498.tif 000014
【図１３】
2009122498.tif 000015
【図１４】
2009122498.tif 000016
【図１５】
2009122498.tif 000017
【図１６】
2009122498.tif 000018
【図１７】
2009122498.tif 000019
【図１８】
2009122498.tif 000020
【図１９】
2009122498.tif 000021
【図２０】
2009122498.tif 000022
【図２１】
2009122498.tif 000023
【図２２】
2009122498.tif 000024
【図２３】
2009122498.tif 000025
【図２４】
2009122498.tif 000026
【図２５】
2009122498.tif 000027
【図２６】
2009122498.tif 000028
【図２７】
2009122498.tif 000029
【図２８】
2009122498.tif 000030
【図２９】
2009122498.tif 000031
【国際調査報告】
2009122498.tif 000032
2009122498.tif 000033
2009122498.tif 000034
2009122498.tif 000035